(57)【要約】【課題】占有できる時間に応じた精査処理が可能となる貨幣処理装置を提供する。【解決手段】所定の複数の収納庫の中から指定手段に指定された収納庫の貨幣を精査処理可能な貨幣処理装置であって、所定の複数の収納庫のそれぞれの貨幣量に基づいて、これら収納庫のそれぞれの精査処理に要する時間を予測する予測手段と、指定手段による指定時に予測手段の予測結果に基づいて表示を行う表示手段１３と、を備える。指定手段に精査処理する収納庫が指定される際に、予測手段が、所定の複数の収納庫のそれぞれの貨幣量に基づいて、これら収納庫のそれぞれの精査処理に要する時間を予測し、この予測結果に基づいて表示手段１３が表示を行う。【選択図】図１１
2019109679.tif 000002
【特許請求の範囲】
【請求項１】
所定の複数の収納庫の中から指定手段に指定された収納庫の貨幣を精査処理可能な貨幣処理装置であって、
前記所定の複数の収納庫のそれぞれの貨幣量に基づいて、これら収納庫のそれぞれの精査処理に要する時間を予測する予測手段と、
前記指定手段による指定時に前記予測手段の予測結果に基づいて表示を行う表示手段と、
を備えることを特徴とする貨幣処理装置。
【請求項２】
前記指定手段は、前記所定の複数の収納庫の中から、一つを選択指定する単数指定と、前記所定の複数より少ない複数を選択指定する複数指定と、前記所定の複数の全部を指定する全指定と、が可能であり、
前記表示手段は、前記指定手段による指定時に、前記予測手段の予測結果に基づいて、前記所定の複数の収納庫のそれぞれの精査処理に要する時間と、前記所定の複数の収納庫の全部の精査処理に要する時間と、を表示することを特徴とする請求項１記載の貨幣処理装置。
【請求項３】
前記表示手段は、前記指定手段への前記複数指定時に、前記予測手段の予測結果に基づいて、選択指定された複数の収納庫の精査処理に要する合計時間を表示することを特徴とする請求項２記載の貨幣処理装置。
【発明の詳細な説明】
【技術分野】
【０００１】
本発明は、貨幣処理装置に関する。
【背景技術】
【０００２】
従来から、入金された貨幣を収納部に収納し、出金時に収納部から貨幣を繰り出して出金する還流式の貨幣処理装置において、収納繰出部に収納した貨幣の在り高を確定する精査処理を可能とした装置が知られている（例えば、特許文献１参照）。
【先行技術文献】
【特許文献】
【０００３】
【特許文献１】特開２０１７−１２３０６６号公報
【発明の概要】
【発明が解決しようとする課題】
【０００４】
しかしながら、上記装置では在り高の再確認のために、装置内に収納されている（場合によっては汚損貨幣等を含む）全金種について、１金種ずつ順次、精査処理動作を行うことになる。しかも、一旦、精査処理動作が開始されると途中で中断することはできず、全金種の精査処理動作が終了するまで待たなければならない。精査処理に占有されている間、他の処理を行うことができないため、業務効率を下げることになってしまう。
【０００５】
本発明は、占有できる時間に応じた精査処理が可能となる貨幣処理装置の提供を目的とする。
【課題を解決するための手段】
【０００６】
上記目的を達成するために、本発明に係る第１の態様は、所定の複数の収納庫の中から指定手段に指定された収納庫の貨幣を精査処理可能な貨幣処理装置であって、前記所定の複数の収納庫のそれぞれの貨幣量に基づいて、これら収納庫のそれぞれの精査処理に要する時間を予測する予測手段と、前記指定手段による指定時に前記予測手段の予測結果に基づいて表示を行う表示手段と、を備えることを特徴とする。
【０００７】
上記第１の態様によれば、指定手段に、所定の複数の収納庫の中から精査処理する収納庫が指定される際に、予測手段が、前記所定の複数の収納庫のそれぞれの貨幣量に基づいて、これら収納庫のそれぞれの精査処理に要する時間を予測し、この予測結果に基づいて表示手段が表示を行う。操作者は、表示手段に表示された、前記所定の複数の収納庫のそれぞれの精査処理に要する時間に基づく表示を見て、指定手段に前記所定の複数の収納庫の中から精査処理する収納庫を指定する。すると、前記所定の複数の収納庫の中から指定手段に指定された収納庫の貨幣を精査処理する。よって、占有できる時間に応じた精査処理が可能となる。
【０００８】
本発明に係る第２の態様は、上記第１の態様において、前記指定手段は、前記所定の複数の収納庫の中から、一つを選択指定する単数指定と、前記所定の複数より少ない複数を選択指定する複数指定と、前記所定の複数の全部を指定する全指定と、が可能であり、前記表示手段は、前記指定手段による指定時に、前記予測手段の予測結果に基づいて、前記所定の複数の収納庫のそれぞれの精査処理に要する時間と、前記所定の複数の収納庫の全部の精査処理に要する時間と、を表示することを特徴とする。
【０００９】
上記第２の態様によれば、表示手段が、指定手段による指定時に、前記所定の複数の収納庫のそれぞれの精査処理に要する時間と、前記所定の複数の収納庫の全部の精査処理に要する時間と、を表示するため、前記所定の複数の全部を指定する全指定での精査処理に要する時間が一目瞭然となる。よって、全指定で精査処理を行うか否かの操作者による判断のための時間を短縮できる。
【００１０】
本発明に係る第３の態様は、上記第２の態様において、前記表示手段は、前記指定手段への前記複数指定時に、前記予測手段の予測結果に基づいて、選択指定された複数の収納庫の精査処理に要する合計時間を表示することを特徴とする。
【００１１】
上記第３の態様によれば、表示手段が、指定手段への複数指定時に、選択指定された複数の収納庫の精査処理に要する合計時間を表示するため、選択指定された複数の収納庫の精査処理に要する時間も一目瞭然となる。よって、複数指定で精査処理を行うか否かの操作者による判断のための時間を短縮できる。
【発明の効果】
【００１２】
本発明によれば、占有できる時間に応じた精査処理が可能となる貨幣処理装置を提供することができる。
【図面の簡単な説明】
【００１３】
【図１】本発明に係る一実施形態の貨幣処理装置を示す斜視図である。
【図２】本発明に係る一実施形態の貨幣処理装置の要部のブロック図である。
【図３】本発明に係る一実施形態の貨幣処理装置の硬貨処理部の内部構成を概略的に示す平面図である。
【図４】本発明に係る一実施形態の貨幣処理装置の硬貨処理部の内部構成を示す平面図である。
【図５】本発明に係る一実施形態の貨幣処理装置の硬貨処理部の内部構成を概略的に示す側面図であって、出金搬送部等を示すものである。
【図６】本発明に係る一実施形態の貨幣処理装置の硬貨処理部の内部構成を概略的に示す側面図であって、予備収納庫等を示すものである。
【図７】本発明に係る一実施形態の貨幣処理装置の紙幣処理部の内部構成を概略的に示す平面図である。
【図８】本発明に係る一実施形態の貨幣処理装置の補助収納庫を示す斜視図である。
【図９】本発明に係る一実施形態の貨幣処理装置の硬貨処理部の第１の硬貨精査処理の硬貨搬送ルートを太線で示す平面図である。
【図１０】本発明に係る一実施形態の貨幣処理装置の硬貨処理部の第２の硬貨精査処理の硬貨搬送ルートを太線で示す平面図である。
【図１１】本発明に係る一実施形態の貨幣処理装置のレジ操作表示部の精査対象金種指定画面の表示例を示す正面図である。
【発明を実施するための形態】
【００１４】
本発明に係る一実施形態の貨幣処理装置を図面を参照して以下に説明する。なお、以下の説明において、「前」は前後方向の前側つまり操作者から見て手前側であり、「後」は前後方向の後側つまり操作者から見て奥側であり、「左」は操作者から見て左側であり、「右」は操作者から見て右側である。
【００１５】
図１に示す本実施形態の貨幣処理装置１は、貨幣である硬貨及び貨幣である紙幣の入出金処理を含む各種処理を行う本体部２と、本体部２とは別体であって貨幣を収納する補助収納庫３とを有する処理装置本体４と、処理装置本体４の上位機となるＰＯＳレジ１１とからなっている。処理装置本体４は、補助収納庫３の上に本体部２が載置されており、これら本体部２及び補助収納庫３は必要により連結されて一体化されている。本体部２には、右側に硬貨の各種処理を行う硬貨処理部５が設けられており、左側に紙幣の各種処理を行う紙幣処理部６が設けられている。ここで、本体部２を構成する硬貨処理部５と紙幣処理部６とは別体であり、互いに当接状態に並設されて本体部２となる。硬貨処理部５及び紙幣処理部６は必要により連結されて一体化されている。
【００１６】
ＰＯＳレジ１１は、処理装置本体４の上に設置されており、より詳しくは本体部２の上に設置されている。処理装置本体４は、ＰＯＳレジ１１に接続されて売上金の入金及び釣銭の出金等を行う。処理装置本体４の本体部２及びＰＯＳレジ１１は必要により連結されて一体化されている。
【００１７】
ＰＯＳレジ１１は、操作者により操作入力がなされる入力操作部１２と、操作者により操作入力がなされるとともに操作者に対して表示を行うタッチパネル式のレジ操作表示部１３（指定手段，表示手段）と、図２に示すように、商品のバーコードを読み取るバーコード読取部１４と、ＩＤカードが走査されるとＩＤ情報を読み取るカード読取部１５と、商品の料金を表示させる料金表示部１６と、用紙に印字してレシートを発行するレシート印字部１７と、これらと処理装置本体４とを制御する制御部１８（予測手段）とを有している。制御部１８は、貨幣処理装置１の全体を制御する。
【００１８】
図１に示すように、処理装置本体４の上面２０の操作者と対向する前面２１側の右側には、硬貨処理部５の位置に、入金処理時に装置外から硬貨が投入される上方開口のホッパからなる硬貨入金口２２が設けられている。硬貨入金口２２には、上部開口を開閉するシャッタ２２Ａが設けられており、シャッタ２２Ａが開かれた状態で、硬貨が装置外から投入されることになる。硬貨入金口２２は、複数金種が混在する金種混合状態で硬貨が装置外から一括投入可能であり、このように入れられた硬貨を貯留しつつ一枚ずつ分離して装置内に繰り出す。硬貨入金口２２には、残留硬貨の有無を検知する図示略の残留検知センサが設けられている。処理装置本体４の上面２０における硬貨入金口２２の左側には、硬貨処理部５の位置に、操作者による操作入力が入力されると共に操作者に対して表示を行う本体操作表示部２３が設けられている。
【００１９】
また、硬貨処理部５には、前面２１側に、硬貨入金口２２に投入されたものの受け入れ不可と識別された受入不可硬貨を装置外に取り出し可能に貯留する硬貨リジェクト口２４と、硬貨の放出関連処理時に装置内から放出される硬貨を受け取って装置外に取り出し可能に貯留する硬貨出金口２５とが設けられている。硬貨リジェクト口２４と硬貨出金口２５とは、前面２１よりも前方に突出しており、上方開口の受け皿状をなしている。硬貨リジェクト口２４と硬貨出金口２５とは、貨幣処理装置１の前部において左右方向に並設されている。
【００２０】
処理装置本体４の上面２０の前面２１側の左側には、紙幣処理部６の位置に、入金処理時に装置外からバラ紙幣が投入される上方開口の紙幣入金口２６が設けられている。また、紙幣処理部６の位置には、上面２０における紙幣入金口２６の後側に、出金処理時に装置内から出金紙幣が繰り出されると共に入金処理時に受け入れ不可と識別された受入不可紙幣が装置内から繰り出される紙幣出金口２７が設けられている。紙幣入金口２６には、複数金種が混在する金種混合状態で紙幣が装置外から一括投入可能であり、このように投入された紙幣を一枚ずつ分離して装置内に繰り出す。
【００２１】
硬貨処理部５は、図３に示す概略構成となっている。
硬貨処理部５には、硬貨入金口２２に入れられた硬貨を一枚ずつ分離して左方に搬送する第１入金搬送路３１と、第１入金搬送路３１で搬送されてきた硬貨を後方に向けて搬送する第２入金搬送路３２と、第２入金搬送路３２に設けられ、第２入金搬送路３２で後方に向けて搬送される硬貨を識別する硬貨識別部３３とが設けられている。
【００２２】
ここで、硬貨識別部３３で受け入れ不可と識別された受入不可硬貨は、第２入金搬送路３２のスイッチバックによる逆転搬送で前方に搬送される。硬貨処理部５には、硬貨識別部３３よりも前側に第２入金搬送路３２から硬貨を落下させる開閉可能なリジェクト振分ゲート３６が設けられている。リジェクト振分ゲート３６は、閉状態では第２入金搬送路３２から硬貨を落下させることはなく、開作動することで、上記の第２入金搬送路３２の逆転搬送で前方に向けて搬送される受入不可硬貨を第２入金搬送路３２から落下させる。硬貨処理部５には、リジェクト振分ゲート３６で第２入金搬送路３２から落下させられた硬貨を硬貨リジェクト口２４に案内するリジェクトシュータ３７が設けられている。
【００２３】
硬貨処理部５には、硬貨識別部３３よりも後方に、それぞれが所定の単一金種のバラ硬貨を収納すると共に、収納しているバラ硬貨を繰り出す複数の金種別の硬貨収納庫４１ａ，４１ｂ，４１ｃ，４１ｄ，４１ｅ，４１ｆが設けられている。金種別の硬貨収納庫４１ａ〜４１ｆは、それぞれが左右方向に長い形状をなしており、左右方向の位置を合わせて前後方向に並んで配置されている。例えば、最も前側の硬貨収納庫４１ａには１円硬貨が、前側から二番目の硬貨収納庫４１ｂには１０円硬貨が、前側から三番目の硬貨収納庫４１ｃには１００円硬貨が、前側から四番目の硬貨収納庫４１ｄには５円硬貨が、前側から五番目の硬貨収納庫４１ｅには５０円硬貨が、最も後側の硬貨収納庫４１ｆには５００円硬貨が、それぞれ収納される。これは一例であり、硬貨収納庫４１ａ〜４１ｆは、それぞれに単一金種のバラ硬貨を収納するようにすれば、いずれの金種を収納するように設定することも勿論可能である。硬貨収納庫４１ａ〜４１ｆには、残留硬貨の有無を検知する図示略の残留検知センサがそれぞれ設けられている。
【００２４】
第２入金搬送路３２は、全ての硬貨収納庫４１ａ〜４１ｆを前後方向に結ぶように延在しており、硬貨処理部５には、硬貨識別部３３よりも後方側に、第２入金搬送路３２から硬貨を落下させる開閉可能な複数の金種振分ゲート４２ａ，４２ｂ，４２ｃ，４２ｄ，４２ｅ，４２ｆが設けられている。金種振分ゲート４２ａ〜４２ｆは、いずれも、閉状態では第２入金搬送路３２から硬貨を落下させることはなく、開作動時に第２入金搬送路３２から硬貨を落下させる。金種振分ゲート４２ａ〜４２ｆは、硬貨識別部３３の識別結果に基づいて対応する金種の硬貨を硬貨収納庫４１ａ〜４１ｆの対応する金種のものに落下させる。
【００２５】
つまり、金種振分ゲート４２ａ〜４２ｆのうち最も前側の金種振分ゲート４２ａは、開作動時に、硬貨収納庫４１ａ〜４１ｆのうち最も前側の硬貨収納庫４１ａに第２入金搬送路３２から硬貨を落下させることになる。同様に、前から二番目の金種振分ゲート４２ｂが前から二番目の硬貨収納庫４１ｂに、前から三番目の金種振分ゲート４２ｃが前から三番目の硬貨収納庫４１ｃに、前から四番目の金種振分ゲート４２ｄが前から四番目の硬貨収納庫４１ｄに、前から五番目の金種振分ゲート４２ｅが前から五番目の硬貨収納庫４１ｅに、最も後側の金種振分ゲート４２ｆが最も後側の硬貨収納庫４１ｆに、それぞれ開作動時に第２入金搬送路３２から硬貨を落下させる。
【００２６】
ここで、上記した第１入金搬送路３１、第２入金搬送路３２及び金種振分ゲート４２ａ〜４２ｆが、硬貨入金口２２に入れられた硬貨を硬貨収納庫４１ａ〜４１ｆに搬送する入金搬送部４３を構成している。
【００２７】
図３に示す硬貨収納庫４１ａ〜４１ｆは、それぞれが収納している硬貨を一枚ずつに分離して右方に繰り出すことになり、硬貨処理部５には、硬貨収納庫４１ａ〜４１ｆの右方に、硬貨収納庫４１ａ〜４１ｆから繰り出された硬貨を前方に搬送する中間搬送路４６が設けられている。この中間搬送路４６は、前後方向に長く硬貨入金口２２に硬貨を搬送可能となっており、硬貨収納庫４１ａ〜４１ｆのそれぞれに対して直交する方向に延在している。硬貨処理部５には、中間搬送路４６から硬貨を落下させる開閉可能な出金口振分ゲート４７が、硬貨入金口２２と硬貨収納庫４１ａとの間に設けられている。出金口振分ゲート４７は、閉状態では中間搬送路４６から硬貨を落下させることはなく、開作動時に中間搬送路４６から硬貨を落下させる。硬貨処理部５には、出金口振分ゲート４７の下方に、出金口振分ゲート４７で中間搬送路４６から落下させられた硬貨を硬貨出金口２５に搬送する出金搬送路４８が設けられている。
【００２８】
硬貨処理部５には、硬貨収納庫４１ａよりも前方に、バラ硬貨を収納すると共に、収納しているバラ硬貨を繰り出す予備収納庫５１が設けられている。予備収納庫５１は、前後方向に長い形状をなしており、中間搬送路４６の左側に、これと平行に並んで設けられている。予備収納庫５１は、硬貨収納庫４１ａ〜４１ｆのそれぞれに対して直交する方向に延在している。予備収納庫５１には、残留硬貨の有無を検知する図示略の残留検知センサが設けられている。予備収納庫５１は、収納可能な最大の硬貨量である収納容量が、硬貨収納庫４１ａ〜４１ｆのそれぞれの収納容量よりも大きく、硬貨入金口２２の収納容量よりも大きい。
【００２９】
硬貨処理部５には、硬貨入金口２２と出金口振分ゲート４７との間に、中間搬送路４６から硬貨を落下させる開閉可能な予備振分ゲート５２が設けられている。予備振分ゲート５２は、閉状態では中間搬送路４６から硬貨を落下させることはなく、開作動時に中間搬送路４６から硬貨を落下させる。中間搬送路４６は、出金口振分ゲート４７及び予備振分ゲート５２から落下しなかった硬貨を末端から硬貨入金口２２に落下させる。硬貨処理部５には、予備振分ゲート５２の下方に、予備振分ゲート５２で中間搬送路４６から落下させられた硬貨を予備収納庫５１に案内する予備収納庫シュータ５３が設けられている。
【００３０】
予備収納庫５１は、収納している硬貨を一枚ずつに分離して後方に繰り出すことになり、硬貨処理部５には、予備収納庫５１と硬貨収納庫４１ａとの間に、予備収納庫５１から繰り出された硬貨を左右に振り分けて搬送する振分搬送部５６が設けられている。この振分搬送部５６は、左右方向に長く、予備収納庫５１と直交し、硬貨収納庫４１ａ〜４１ｆのそれぞれに対して平行する方向に延在している。振分搬送部５６は、予備収納庫５１から繰り出された硬貨を右方に搬送して中間搬送路４６の硬貨収納庫４１ａと出金口振分ゲート４７との間位置に繰り出す。この振分搬送部５６の左方には、硬貨処理部５から下方に開口する繰出口５７が設けられており、振分搬送部５６は、予備収納庫５１から繰り出された硬貨を左方に搬送して繰出口５７に落下させる。このように振分搬送部５６が繰出口５７に落下させた硬貨は、硬貨処理部５つまり図１に示す本体部２から繰り出されて下方に落下する。
【００３１】
ここで、図３に示す中間搬送路４６、出金搬送路４８、出金口振分ゲート４７、予備振分ゲート５２及び予備収納庫シュータ５３が、硬貨収納庫４１ａ〜４１ｆから繰り出された硬貨を硬貨出金口２５、予備収納庫５１及び硬貨入金口２２に選択的に搬送する出金搬送部５８を構成している。振分搬送部５６は、予備収納庫５１から繰り出された硬貨を、出金搬送部５８及び繰出口５７に選択的に搬送する。その結果、予備収納庫５１は、出金搬送部５８で搬送される硬貨を収納可能であると共に、収納している硬貨を振分搬送部５６を介して出金搬送部５８に繰り出し可能となっている。
【００３２】
図４に示すように、第１入金搬送路３１は、硬貨入金口２２の底部位置から左方に延出する無端のベルトコンベア６１と、硬貨入金口２２よりも左側においてベルトコンベア６１の上側に配置され、ベルトコンベア６１の搬送方向とは逆方向に対向部分を移動させる分離ローラ６２とを有している。硬貨入金口２２は、投入された硬貨をベルトコンベア６１とで貯留させることが可能となっている。第１入金搬送路３１は、硬貨入金口２２に投入された硬貨を、回転するベルトコンベア６１によって左方に送り、途中位置に設けられた分離ローラ６２で一枚ずつに分離して更に左方に搬送する。
【００３３】
第１入金搬送路３１は、分離ローラ６２で一枚ずつに分離されてベルトコンベア６１で左方に搬送されてきた硬貨を更に搬送する通路６３及び搬送ベルト６４を有している。通路６３及び搬送ベルト６４は、左右方向に延在しており、ベルトコンベア６１から通路６３上に送り出された硬貨を搬送ベルト６４が上側から通路６３に押し付けて更に左方に搬送する。
【００３４】
第２入金搬送路３２は、第１入金搬送路３１の通路６３及び搬送ベルト６４で搬送されてきた硬貨を更に搬送する通路７１及び搬送ベルト７２を有している。通路７１及び搬送ベルト７２は、前後方向に延在しており、第１入金搬送路３１から通路７１上に送り出された硬貨を搬送ベルト７２が上側から通路７１に押し付けて後方に搬送する。
【００３５】
硬貨識別部３３は、通路７１の一部を構成するように設けられており、搬送ベルト７２で搬送されて通過する硬貨をその画像や材質から識別する。硬貨識別部３３は、硬貨が受け入れ可能な受入可能硬貨であるか、受け入れ不可な受入不可硬貨であるかを識別し、受入可能硬貨については金種を識別して計数する。
【００３６】
リジェクト振分ゲート３６は、第２入金搬送路３２における第１入金搬送路３１と硬貨識別部３３との間位置に配置されており、閉状態では通路７１の一部を構成する。リジェクト振分ゲート３６は、開状態ではその硬貨識別部３３側が通路７１よりも上側に位置するように回動し、この状態で搬送ベルト７２によって硬貨識別部３３側から通路７１上で移動する硬貨を落下させる。リジェクト振分ゲート３６で第２入金搬送路３２から落下させられた硬貨は、リジェクトシュータ３７を介して硬貨リジェクト口２４に放出される。
【００３７】
金種振分ゲート４２ａ〜４２ｆは、第２入金搬送路３２における硬貨識別部３３に対して第１入金搬送路３１とは反対側に前後に直列状に配置されており、いずれも閉状態では通路７１の一部を構成する。金種振分ゲート４２ａ〜４２ｆは、いずれも開状態ではその硬貨識別部３３側が通路７１よりも上側に位置するように回動し、この状態で搬送ベルト７２により硬貨識別部３３側から通路７１上で移動する硬貨を落下させる。金種振分ゲート４２ａ〜４２ｆで第２入金搬送路３２から落下させられた硬貨は、硬貨収納庫４１ａ〜４１ｆの対応するものに収納される。ここで、ＰＯＳレジ１１の制御部１８は、硬貨識別部３３の識別結果に基づいて、各硬貨収納庫４１ａ〜４１ｆへの硬貨の入金量を把握する。
【００３８】
硬貨収納庫４１ａ〜４１ｆは、それぞれ、壁部７６と、壁部７６の下側に配置されて左右に延在する無端のベルトコンベア７７と、ベルトコンベア７７の上側に配置された分離ローラ７８とを有している。硬貨収納庫４１ａ〜４１ｆは、それぞれ、壁部７６内の分離ローラ７８よりも左方のベルトコンベア７７上に金種振分ゲート４２ａ〜４２ｆから落下する硬貨を収納することになり、ベルトコンベア７７は、収納している硬貨を右方に搬送する。分離ローラ７８は、ベルトコンベア７７の搬送方向とは逆方向に対向部分を移動させることにより、ベルトコンベア７７上の硬貨を一枚ずつに分離する。ベルトコンベア７７は、分離ローラ７８で一枚ずつに分離された硬貨を更に右方に搬送する。硬貨収納庫４１ａ〜４１ｆは、それぞれ、ベルトコンベア７７の右端位置に、ベルトコンベア７７及び分離ローラ７８で一枚ずつに分離されて搬送される硬貨を計数しつつ一枚ずつ中間搬送路４６に繰り出す繰出機構７９を有している。ここで、ＰＯＳレジ１１の制御部１８は、上記のように各硬貨収納庫４１ａ〜４１ｆへの硬貨の入金量を把握しており、これと繰出機構７９で計数される繰出量とから、金種別の硬貨収納庫４１ａ〜４１ｆのそれぞれに収納されている硬貨の枚数である硬貨収納量、すなわち硬貨の残量を把握する。
【００３９】
硬貨収納庫４１ａ〜４１ｆの右側には、前後方向に延在する無端のベルトコンベア８１が設けられている。このベルトコンベア８１は、図５に示すように硬貨収納庫４１ａ〜４１ｆに近い部分が中間搬送路４６を構成する中間搬送路構成部８２となっており、硬貨収納庫４１ａ〜４１ｆから遠い部分が出金搬送路４８を構成する出金搬送路構成部８３となっている。中間搬送路構成部８２のうち硬貨収納庫４１ａ〜４１ｆに近い部分は、水平に配置されており、硬貨収納庫４１ａ〜４１ｆから繰り出された硬貨を上面に受け入れる。中間搬送路構成部８２のうち硬貨収納庫４１ａ〜４１ｆから遠い前側の部分は、前上がりに傾斜している。出金搬送路構成部８３は、中間搬送路構成部８２の前側の部分から段差状をなして下側に配置されて前方に延出している。
【００４０】
ベルトコンベア８１の中間搬送路構成部８２の上側には、硬貨収納庫４１ａ〜４１ｆよりも前側に分離ローラ８５が配置されている。分離ローラ８５は、中間搬送路構成部８２の搬送方向とは逆方向に対向部分を移動させることにより、中間搬送路構成部８２上の硬貨を一枚ずつに分離して前方に繰り出させる。ベルトコンベア８１の中間搬送路構成部８２及び分離ローラ８５は、中間搬送路４６を構成している。
【００４１】
ベルトコンベア８１の中間搬送路構成部８２よりも前方には、分離ローラ８５で一枚ずつに分離されてベルトコンベア８１の中間搬送路構成部８２で前方に搬送されてきた硬貨を更に前方に搬送する通路８７及び搬送ベルト８８が設けられている。通路８７及び搬送ベルト８８は、中間搬送路構成部８２の前側で前後方向に延在しており、通路８７は、中間搬送路構成部８２の前上がりの部分の延長線上で前上がりに傾斜している。通路８７及び搬送ベルト８８は、ベルトコンベア８１の中間搬送路構成部８２から通路８７上に送り出された硬貨を搬送ベルト８８が上側から通路８７に押し付けて更に前方に搬送する。
【００４２】
通路８７に出金口振分ゲート４７が設けられている。出金口振分ゲート４７は、閉状態では通路８７の一部を構成している。出金口振分ゲート４７は、開状態ではその中間搬送路構成部８２側が通路８７よりも上側に位置するように回動し、この状態でベルトコンベア８１の中間搬送路構成部８２により通路８７側に搬送される硬貨を落下させる。出金口振分ゲート４７で中間搬送路構成部８２から落下させられた硬貨は、ベルトコンベア８１の出金搬送路構成部８３上に落下する。
【００４３】
予備振分ゲート５２は、通路８７の出金口振分ゲート４７よりも中間搬送路構成部８２とは反対側に設けられており、閉状態では通路８７の一部を構成している。予備振分ゲート５２は、開状態ではその中間搬送路構成部８２側が通路８７よりも上側に位置するように回動し、この状態で搬送ベルト８８により通路８７上を移動する硬貨を落下させる。予備振分ゲート５２で通路８７から落下させられた硬貨は、予備収納庫シュータ５３を介して図４に示す予備収納庫５１に落下する。
【００４４】
図５に示す通路８７及び搬送ベルト８８は、出金口振分ゲート４７及び予備振分ゲート５２のいずれでも落下させなかった硬貨を末端位置から硬貨入金口２２を介して第１入金搬送路３１のベルトコンベア６１上に落下させる。硬貨入金口２２は、このように通路８７の末端位置から放出された硬貨をベルトコンベア６１とで貯留させることが可能となっている。
【００４５】
ベルトコンベア８１の中間搬送路構成部８２及び分離ローラ８５に加えて、通路８７及び搬送ベルト８８が、硬貨収納庫４１ａ〜４１ｆから繰り出された硬貨を硬貨入金口２２に搬送可能な中間搬送路４６を構成している。
【００４６】
ベルトコンベア８１の出金搬送路構成部８３の上側には、分離ローラ９１が配置されている。分離ローラ９１は、出金搬送路構成部８３の搬送方向とは逆方向に対向部分を移動させることにより、出金搬送路構成部８３上の硬貨を一枚ずつに分離する。出金搬送路構成部８３は、分離ローラ９１で一枚ずつに分離された硬貨を前方に搬送する。
【００４７】
ベルトコンベア８１の出金搬送路構成部８３よりも前方には、分離ローラ９１で一枚ずつに分離されてベルトコンベア８１の出金搬送路構成部８３で前方に搬送されてきた硬貨を更に前方に搬送する通路９２及び搬送ベルト９３が設けられている。通路９２及び搬送ベルト９３は、出金搬送路構成部８３の前側で前後方向に延在しており、出金搬送路構成部８３から通路９２上に送り出された硬貨を搬送ベルト９３が上側から通路９２に押し付けて更に前方に搬送する。通路９２及び搬送ベルト９３は、硬貨を末端位置から硬貨出金口２５に放出する。
【００４８】
ベルトコンベア８１の出金搬送路構成部８３、分離ローラ９１、通路９２及び搬送ベルト９３が、出金口振分ゲート４７で中間搬送路４６から落下させられた硬貨を硬貨出金口２５に搬送する出金搬送路４８を構成している。この出金搬送路４８は、硬貨収納庫４１ａ〜４１ｆから繰り出され中間搬送路４６で搬送されてきた硬貨を硬貨出金口２５に搬送する。
【００４９】
図６に示すように、予備収納庫５１は、壁部９５と、壁部９５の下部に配置されて前後方向に延在する無端のベルトコンベア９６とを有している。ベルトコンベア９６は、その後側の部分が鉛直に近い角度で後ろ上がりに立ち上がっており、図示略の係止片で硬貨を一枚ずつ持ち上げて振分搬送部５６に繰り出す。これにより、予備収納庫５１は、硬貨を一枚ずつに分離して振分搬送部５６に繰り出す。
【００５０】
振分搬送部５６は、図４に示すように、左右方向に延在するベルトコンベア９８と、その上側の分離ローラ９９と、ベルトコンベア９８と繰出口５７とを結ぶように延在する通路１００と、通路１００上で左右方向に延在する無端の搬送ベルト１０１とを有している。ベルトコンベア９８は、通路１００と中間搬送路４６のベルトコンベア８１とを結ぶように設けられており、予備収納庫５１よりも通路１００側に分離ローラ９９が設けられている。分離ローラ９９は、ベルトコンベア９８の通路１００側への搬送方向とは逆方向に対向部分を移動させることにより、ベルトコンベア９８上の硬貨を一枚ずつに分離することになり、ベルトコンベア９８は、分離ローラ９９で一枚ずつに分離された硬貨を通路１００側に搬送する。ベルトコンベア９８の他端側は、ベルトコンベア８１の硬貨収納庫４１ａと分離ローラ８５との間位置に硬貨を繰り出すようになっている。通路１００には、搬送ベルト１０１で繰出口５７側に搬送される硬貨の金種を識別しつつ計数する繰出識別部１０２が設けられている。ここで、ＰＯＳレジ１１の制御部１８は、繰出識別部１０２の計数結果から、繰出口５７に落下する硬貨の在り高を把握している。
【００５１】
図７に示すように、紙幣処理部６には、前側から順に、紙幣入金口２６、紙幣出金口２７、紙幣を収納可能な着脱式の紙幣カセット１１８、紙幣を収納するとともに収納した紙幣を紙幣出金口２７に出金させる複数具体的には四つの着脱不可な紙幣収納庫１２０，１２１，１２２，１２３が設けられている。紙幣カセット１１８は、紙幣収納庫１２０〜１２３からの外部への回収時に紙幣を収納可能となっている。
【００５２】
紙幣カセット１１８は、紙幣収納庫１２０〜１２３の紙幣の外部への回収時に紙幣収納庫１２０〜１２３から紙幣が搬送されて収納されることになり、この状態で外部に取り出される。また、紙幣カセット１１８は、紙幣収納庫１２０〜１２３への紙幣の補充時に、外部で紙幣が充填されることになり、この状態で貨幣処理装置１に装填されて紙幣収納庫１２０〜１２３へ紙幣を繰り出して補充する。さらに、紙幣カセット１１８は、紙幣収納庫１２０〜１２３の紙幣の精査時に紙幣収納庫１２０〜１２３を一旦空にするために紙幣を一時受け入れることになり、その後、紙幣収納庫１２０〜１２３に紙幣を戻す。紙幣カセット１１８は、これら以外は、空の状態になっている。
【００５３】
紙幣収納庫１２０〜１２２は、それぞれが単一金種収納用となっており、例えば、紙幣収納庫１２０には千円紙幣が収納され、紙幣収納庫１２１には五千円紙幣が収納され、紙幣収納庫１２２には一万円紙幣が収納される。また、紙幣収納庫１２３は、金種混合収納用となっており、紙幣収納庫１２０〜１２２に収納しきれないオーバーフロー紙幣や流通量が少ない二千円紙幣、出金時に重送や斜行等の搬送不良が検出された出金リジェクト紙幣が収納される。勿論、紙幣収納庫１２０〜１２３への収納パターンは、これに限らず、種々の設定が可能である。
【００５４】
紙幣入金口２６、紙幣出金口２７、紙幣カセット１１８及び紙幣収納庫１２０〜１２３は、いずれも左右方向に長い横長の形状をなしており、全て、長辺が上端及び下端で左右方向に沿う姿勢（横長の姿勢）の紙幣を受け入れるようになっている。
【００５５】
上記した紙幣入金口２６、紙幣出金口２７、紙幣カセット１１８及び紙幣収納庫１２０〜１２３は、紙幣処理部６の内部の右側に寄せられて設けられており、これにより紙幣処理部６の内部の左側に設けられたスペースに、これら紙幣入金口２６、紙幣出金口２７、紙幣カセット１１８及び紙幣収納庫１２０〜１２３を接続させて紙幣のやり取りを行う紙幣搬送部１２７が配置されている。なお、この紙幣搬送部１２７も紙幣を常に長辺が上端及び下端となる姿勢で搬送する。
【００５６】
紙幣搬送部１２７は、紙幣入金口２６と紙幣収納庫１２３とを結ぶ主搬送路１２８と、主搬送路１２８の紙幣出金口２７の近傍から分岐して紙幣出金口２７に接続される分岐搬送路１２９と、主搬送路１２８の紙幣カセット１１８の近傍から分岐して紙幣カセット１１８に接続される分岐搬送路１３０と、主搬送路１２８の紙幣収納庫１２０の近傍から分岐して紙幣収納庫１２０に接続される分岐搬送路１３２と、主搬送路１２８の紙幣収納庫１２１の近傍から分岐して紙幣収納庫１２１に接続される分岐搬送路１３３と、主搬送路１２８の紙幣収納庫１２２の近傍から分岐して紙幣収納庫１２２に接続される分岐搬送路１３４とを有している。分岐搬送路１２９，１３０，１３２，１３３，１３４が、この順に、主搬送路１２８における紙幣入金口２６側から紙幣収納庫１２３にかけて分岐している。
【００５７】
紙幣搬送部１２７は、主搬送路１２８を介して紙幣収納庫１２０〜１２３側から搬送されてきた紙幣を、駆動状態で分岐搬送路１２９に案内して紙幣出金口２７に搬送させる一方、非駆動状態ではそのまま主搬送路１２８で搬送させる振分部１２９Ｇを有している。分岐搬送路１２９は、紙幣出金口２７に向けて回転して紙幣を紙幣出金口２７に送り込むローラ対１２９Ｒを有している。分岐搬送路１２９には、通過する紙幣を計数する計数センサ１２９Ｓが設けられている。
【００５８】
また、紙幣搬送部１２７は、主搬送路１２８を介して紙幣収納庫１２０〜１２３側から搬送されてきた紙幣を、駆動状態で分岐搬送路１３０に案内して紙幣カセット１１８に搬送させる一方、非駆動状態ではそのまま主搬送路１２８で搬送させる振分部１３０Ｇを有している。分岐搬送路１３０は、紙幣カセット１１８に向けて回転して紙幣を紙幣カセット１１８に送り込むローラ１３０Ｒａ，１３０Ｒｂを有している。紙幣カセット１１８には、ローラ１３０Ｒａ，１３０Ｒｂに向けて紙幣を蹴り出す蹴出ローラ１１８Ｒが設けられている。一方のローラ１３０Ｒａは、紙幣カセット１１８から紙幣を繰り出す際に回転し、他方のローラ１３０Ｒｂは、紙幣カセット１１８から紙幣を繰り出す際には停止して紙幣を一枚ずつに分離する。分岐搬送路１３０には、通過する紙幣を計数する計数センサ１３０Ｓが設けられている。
【００５９】
また、紙幣搬送部１２７は、主搬送路１２８を介して紙幣入金口２６側から搬送されてきた紙幣を、駆動状態で分岐搬送路１３２に案内して紙幣収納庫１２０に搬送させる一方、非駆動状態ではそのまま主搬送路１２８で搬送させる振分部１３２Ｇを有している。分岐搬送路１３２は、紙幣収納庫１２０に向けて回転して紙幣を紙幣収納庫１２０に送り込むローラ１３２Ｒａ，１３２Ｒｂを有している。紙幣収納庫１２０には、ローラ１３２Ｒａ，１３２Ｒｂに向けて紙幣を蹴り出す蹴出ローラ１２０Ｒが設けられている。一方のローラ１３２Ｒａは、紙幣収納庫１２０から紙幣を繰り出す際に回転し、他方のローラ１３２Ｒｂは、紙幣収納庫１２０から紙幣を繰り出す際には停止して紙幣を一枚ずつに分離する。分岐搬送路１３２には、通過する紙幣を計数する計数センサ１３２Ｓが設けられている。
【００６０】
また、紙幣搬送部１２７は、主搬送路１２８を介して紙幣入金口２６側から搬送されてきた紙幣を、駆動状態で分岐搬送路１３３に案内して紙幣収納庫１２１に搬送させる一方、非駆動状態ではそのまま主搬送路１２８で搬送させる振分部１３３Ｇを有している。分岐搬送路１３３は、紙幣収納庫１２１に向けて回転して紙幣を紙幣収納庫１２１に送り込むローラ１３３Ｒａ，１３３Ｒｂを有している。紙幣収納庫１２１には、ローラ１３３Ｒａ，１３３Ｒｂに向けて紙幣を蹴り出す蹴出ローラ１２１Ｒが設けられている。一方のローラ１３３Ｒａは、紙幣収納庫１２１から紙幣を繰り出す際に回転し、他方のローラ１３３Ｒｂは、紙幣収納庫１２１から紙幣を繰り出す際には停止して紙幣を一枚ずつに分離する。分岐搬送路１３３には、通過する紙幣を計数する計数センサ１３３Ｓが設けられている。
【００６１】
また、紙幣搬送部１２７は、主搬送路１２８を介して紙幣入金口２６側から搬送されてきた紙幣を、駆動状態で分岐搬送路１３４に案内して紙幣収納庫１２２に搬送させる一方、非駆動状態ではそのまま主搬送路１２８で搬送させる振分部１３４Ｇを有している。分岐搬送路１３４は、紙幣収納庫１２２に向けて回転して紙幣を紙幣収納庫１２２に送り込むローラ１３４Ｒａ，１３４Ｒｂを有している。紙幣収納庫１２２には、ローラ１３４Ｒａ，１３４Ｒｂに向けて紙幣を蹴り出す蹴出ローラ１２２Ｒが設けられている。一方のローラ１３４Ｒａは、紙幣収納庫１２２から紙幣を繰り出す際に回転し、他方のローラ１３４Ｒｂは、紙幣収納庫１２２から紙幣を繰り出す際には停止して紙幣を一枚ずつに分離する。分岐搬送路１３４には、通過する紙幣を計数する計数センサ１３４Ｓが設けられている。
【００６２】
また、主搬送路１２８は、紙幣収納庫１２３に向けて回転して紙幣を紙幣収納庫１２３に送り込むローラ１３５Ｒａ，１３５Ｒｂを有している。紙幣収納庫１２３には、ローラ１３５Ｒａ，１３５Ｒｂに向けて紙幣を蹴り出す蹴出ローラ１２３Ｒが設けられている。一方のローラ１３５Ｒａは、紙幣収納庫１２３から紙幣を繰り出す際に回転し、他方のローラ１３５Ｒｂは、紙幣収納庫１２３から紙幣を繰り出す際には停止して紙幣を一枚ずつに分離する。主搬送路１２８には、ローラ１３５Ｒａ，１３５Ｒｂと分岐搬送路１３４との間に、通過する紙幣を計数する計数センサ１３５Ｓが設けられている。
【００６３】
紙幣入金口２６は、主搬送路１２８に向けて紙幣を蹴り出す蹴出ローラ２６Ｒａと、蹴出ローラ２６Ｒａで蹴り出された紙幣を主搬送路１２８に繰り出す繰出ローラ２６Ｒｂと、繰出ローラ２６Ｒｂで繰り出される紙幣を、停止することにより一枚ずつに分離する分離ローラ２６Ｒｃとを有している。主搬送路１２８には、ローラ２６Ｒｂ，２６Ｒｃと分岐搬送路１２９との間に、通過する紙幣を計数する計数センサ２６Ｓが設けられている。
【００６４】
主搬送路１２８には、分岐搬送路１２９，１３０間に、紙幣を識別する紙幣識別部１４０が設けられている。主搬送路１２８には、分岐搬送路１３０，１３２間に、通過する紙幣を計数する計数センサ１４１Ｓが設けられており、分岐搬送路１３２，１３３間に、同様の計数センサ１４２Ｓが、分岐搬送路１３３，１３４間に、同様の計数センサ１４３Ｓが、それぞれ設けられている。紙幣入金口２６、紙幣出金口２７、紙幣カセット１１８及び紙幣収納庫１２０〜１２３には、残留硬貨の有無を検知する図示略の残留検知センサがそれぞれ設けられている。
【００６５】
ＰＯＳレジ１１の制御部１８は、紙幣識別部１４０の識別結果と、計数センサ２６Ｓ，１２９Ｓ，１３０Ｓ，１３２Ｓ，１３３Ｓ，１３４Ｓ，１３５Ｓ，１４１Ｓ，１４２Ｓ，１４３Ｓの計数結果とから、紙幣収納庫１２０，１２１，１２２のそれぞれの入金量と繰出量とを把握しており、これらから、金種別の紙幣収納庫１２０，１２１，１２２のそれぞれに収納されている紙幣の枚数である紙幣収納量、すなわち紙幣の残量を把握している。
【００６６】
図８に示すように、補助収納庫３は、前方に開口する箱形の筐体部１５１と、筐体部１５１に対して前方に水平に引き出し可能に支持された第１収納ドロア１５２とを有する第１補助収納部１５３と、前方に開口する箱形の筐体部１５５と、筐体部１５５に対して前方に水平に引き出し可能に支持された第２収納ドロア１５６とを有する第２補助収納部１５７とを有している。第１収納ドロア１５２の前面には、ＬＥＤからなる第１表示ランプ１５８が設けられており、第２収納ドロア１５６の前面には、ＬＥＤからなる第２表示ランプ１５９が設けられている。筐体部１５１，１５５は、左右に並べられた状態で必要により連結されて一体化されている。
【００６７】
第１補助収納部１５３は、筐体部１５１に第１収納ドロア１５２が押し込まれた閉状態では、第１収納ドロア１５２内への操作者によるアクセスが不可であり、第１収納ドロア１５２が筐体部１５１から引き出された開状態で、第１収納ドロア１５２内への操作者によるアクセスが可能となる。第１補助収納部１５３には、筐体部１５１に第１収納ドロア１５２を閉状態でロックする電磁ロックである第１ロック機構１６０が設けられている。この第１ロック機構１６０は、ＰＯＳレジ１１の制御部１８からの解除信号でロックが解除されることになり、ロックが解除されると、筐体部１５１から第１収納ドロア１５２を少し突出させる。これにより、筐体部１５１からの第１収納ドロア１５２の引き出しが可能になる。その後、第１収納ドロア１５２が筐体部１５１に押し込まれて閉状態になると第１ロック機構１６０は、自動的に第１収納ドロア１５２を筐体部１５１にロックする。
【００６８】
第１ロック機構１６０には、これがロック状態にあるかロック解除状態にあるかを検知する図示略のロック検知部が設けられており、ＰＯＳレジ１１の制御部１８は、このロック検知部の検知結果に基づいて第１ロック機構１６０がロック状態にあるかロック解除状態にあるかを判定する。この判定に基づいて、ＰＯＳレジ１１の制御部１８は、第１ロック機構１６０がロック状態にあるかロック解除状態にあるかを、状態告知部としての第１表示ランプ１５８の異なる表示で操作者に報知する。例えば、第１ロック機構１６０がロック状態にあるとき第１表示ランプ１５８を点灯させ、第１ロック機構１６０がロック解除状態にあるとき第１表示ランプ１５８を点滅させる。或いは、第１ロック機構１６０がロック状態にあるとき緑色点灯としロック解除状態にあるとき赤色点滅とする。これらに加えて図示略の状態告知部としてのスピーカによる音声で報知しても良い。
【００６９】
第２補助収納部１５７も、第１補助収納部１５３と同様であり、筐体部１５５に第２収納ドロア１５６を閉状態でロックする電磁ロックである第２ロック機構１６１が設けられている。この第２ロック機構１６１も、ＰＯＳレジ１１の制御部１８からの解除信号でロックが解除されることになり、その後、第２収納ドロア１５６が筐体部１５５に押し込まれて閉状態になると自動的に第２収納ドロア１５６を筐体部１５５にロックする。
【００７０】
第２ロック機構１６１にも、ロック状態にあるかロック解除状態にあるかを検知する図示略のロック検知部が設けられており、ＰＯＳレジ１１の制御部１８は、このロック検知部の検知結果に基づいて、第２ロック機構１６１がロック状態にあるかロック解除状態にあるかを判定し、判定結果に基づいて、ロック状態にあるかロック解除状態にあるかを、状態告知部としての第２表示ランプ１５９の異なる表示で操作者に報知する。報知方法は、第１ロック機構１６０の報知方法と同様である。ここで、第１ロック機構１６０及び第２ロック機構１６１としては、制御部１８からの解除信号でロックが解除される電磁ロック以外にも、別体のキーでロックが解除されるシリンダ錠を用いることが可能である。
【００７１】
図１に示すように、一方の第１補助収納部１５３は、硬貨処理部５の鉛直下方に配置されており、他方の第２補助収納部１５７は、紙幣処理部６の鉛直下方に配置されている。一方の第１収納ドロア１５２は、筐体部１５１に押し込まれてロックされた状態で硬貨処理部５の鉛直下方に位置することになり、他方の第２収納ドロア１５６は、筐体部１５５に押し込まれてロックされた状態で紙幣処理部６の鉛直下方に位置することになる。
【００７２】
図８に示すように第１補助収納部１５３の筐体部１５１の上板部１６４には、上方に開口して内外を連通させる導入口１６５が形成されており、この筐体部１５１上に図１に示すように硬貨処理部５が位置を合わせて載置されると、図８に示す導入口１６５は、図４に示す硬貨処理部５の繰出口５７と水平方向の位置が合い、硬貨処理部５の繰出口５７から落下する全ての硬貨を、この導入口１６５から第１補助収納部１５３内に受け入れる。
【００７３】
第１収納ドロア１５２には、この第１収納ドロア１５２が筐体部１５１に押し込まれた閉状態で、硬貨処理部５の繰出口５７から繰り出され導入口１６５に導入された硬貨を収納する回収硬貨収納トレー１６６が設けられている。回収硬貨収納トレー１６６は、上方開口の有底箱状であり、第１収納ドロア１５２に対して着脱可能に設けられている。つまり、筐体部１５１から第１収納ドロア１５２が引き出された状態で、回収硬貨収納トレー１６６は、第１収納ドロア１５２から取り外されたり、第１収納ドロア１５２に取り付けられたりする。回収硬貨収納トレー１６６は、硬貨を金種混合の状態で一括して３００枚程度収納可能である。
【００７４】
第１収納ドロア１５２には、回収硬貨収納トレー１６６がセットされた状態にあるか否かを検知する図示略のトレーセット検知部と、セットされた状態の回収硬貨収納トレー１６６に収納されている硬貨が満杯状態にあるか否かを検知する図示略のトレーフル検知部とが設けられている。ＰＯＳレジ１１の制御部１８は、トレーセット検知部の検知結果から第１収納ドロア１５２に回収硬貨収納トレー１６６がセットされた状態にあるか否かを判定し、トレーフル検知部の検知結果から回収硬貨収納トレー１６６に収納されている硬貨が満杯状態にあるか否かを判定する。
【００７５】
第２収納ドロア１５６には、バラ紙幣、商品券、クレジットの明細書等の紙葉類と、バラ硬貨と、処理装置本体４への補充用の各金種の棒金と、印鑑などが収納される。
【００７６】
次に、本実施形態の貨幣処理装置１の各種処理について説明する。
【００７７】
［入金処理］
ＰＯＳレジ１１において、バーコード読取部１４による商品バーコードの読み取り等で顧客が購入する商品の代金が確定し、レジ操作表示部１３に入金操作が入力されると、ＰＯＳレジ１１の制御部１８は、処理装置本体４の硬貨入金口２２へ硬貨が投入されていれば、硬貨処理部５による硬貨入金処理を開始させることになり、処理装置本体４の紙幣入金口２６へ紙幣が投入されていれば、紙幣処理部６による紙幣入金処理とを開始させる。
【００７８】
「硬貨入金処理」
硬貨入金処理では、硬貨処理部５が、シャッタ２２Ａが開かれた状態で投入された硬貨入金口２２の硬貨を、シャッタ２２Ａを閉じた後、第１入金搬送路３１のベルトコンベア６１及び分離ローラ６２で一枚ずつ分離して第２入金搬送路３２に繰り出し、第２入金搬送路３２の通路７１及び搬送ベルト７２で搬送しつつ閉状態のリジェクト振分ゲート３６を越えて硬貨識別部３３まで搬送し、硬貨識別部３３で識別させる。硬貨識別部３３では受け入れの可不可及び受入可能硬貨については金種を識別して計数し、この識別結果に基づき、受入不可硬貨を、搬送ベルト７２の逆転搬送とリジェクト振分ゲート３６の開作動とでリジェクトシュータ３７を介して硬貨リジェクト口２４に放出する入金リジェクト処理を行う。これにより、受入不可硬貨が硬貨リジェクト口２４に収容され、操作者は、この受入不可硬貨を硬貨リジェクト口２４から取り出すことができる。
【００７９】
他方、硬貨識別部３３の識別結果に基づき、受入可能硬貨を、そのまま第２入金搬送路３２の下流側に移動させる。その結果、受入可能硬貨を、金種振分ゲート４２ａ〜４２ｆの対応するもので選別して硬貨収納庫４１ａ〜４１ｆの対応する金種のものに収納する。つまり、１円硬貨は金種振分ゲート４２ａで落下させて硬貨収納庫４１ａに収納し、１０円硬貨は金種振分ゲート４２ｂで落下させて硬貨収納庫４１ｂに収納し、１００円硬貨は金種振分ゲート４２ｃで落下させて硬貨収納庫４１ｃに収納し、５円硬貨は金種振分ゲート４２ｄで落下させて硬貨収納庫４１ｄに収納し、５０円硬貨は金種振分ゲート４２ｅで落下させて硬貨収納庫４１ｅに収納し、５００円硬貨は金種振分ゲート４２ｆで落下させて硬貨収納庫４１ｆに収納する。
【００８０】
ここで、制御部１８は、上述したように金種別の各硬貨収納庫４１ａ〜４１ｆに収納されている硬貨の硬貨収納量を把握しており、入金処理で新たに入金された硬貨によって硬貨収納庫４１ａ〜４１ｆのいずれかの硬貨収納量が、所定の適正上限量を超える場合、硬貨収納庫４１ａ〜４１ｆの適正上限量を超えるものから、繰出機構７９によって適正上限量を超える分の硬貨を計数しつつ中間搬送路４６に繰り出させて、入金処理後の硬貨収納量が適正上限量を超えないようにして、全ての硬貨収納庫４１ａ〜４１ｆの硬貨収納量を適正上限量以下に保つ。これにより、全ての硬貨収納庫４１ａ〜４１ｆの硬貨収納量を、多くても、硬貨収納量が適正上限量となるニアフル状態に保つようにする。
【００８１】
このように硬貨収納庫４１ａ〜４１ｆから中間搬送路４６に硬貨を繰り出させる場合、制御部１８は、出金口振分ゲート４７を閉状態のまま、予備振分ゲート５２を開状態として、ベルトコンベア８１の中間搬送路構成部８２及び搬送ベルト８８で硬貨を予備振分ゲート５２に向けて搬送する。すると、硬貨は、中間搬送路４６の分離ローラ８５で一枚ずつに分離された後、出金口振分ゲート４７を越えて予備振分ゲート５２の位置で中間搬送路４６から落下して予備収納庫シュータ５３を介して予備収納庫５１に収納される。このとき、制御部１８は、繰出機構７９の計数値から予備収納庫５１に収納された硬貨の金種別の入金量を把握している。
【００８２】
ここで、上述したように、制御部１８は、繰出識別部１０２の識別結果から、振分搬送部５６で予備収納庫５１から繰出口５７に繰り出された硬貨の金種別の繰出量を把握しており、この金種別の繰出量と、上記の予備収納庫５１への硬貨の金種別の入金量とから予備収納庫５１に収納されている硬貨の金種別の硬貨収納量を把握している。入金処理で予備収納庫５１に入金された硬貨によって予備収納庫５１の硬貨収納量が所定の適正上限量を超える場合、予備収納庫５１からベルトコンベア９６によって、硬貨を振分搬送部５６に繰り出させて、振分搬送部５６のベルトコンベア９８及び搬送ベルト１０１によって、繰出口５７に向けて搬送する。そして、繰出識別部１０２の計数結果に基づいて適正上限量を超える分の硬貨を繰出口５７に落下させる。このようにして入金処理後の予備収納庫５１の硬貨収納量が適正上限量を超えないようにして適正上限量以下に保つ。振分搬送部５６から繰り出された硬貨は、繰出口５７及び導入口１６５を介して補助収納庫３の第１収納ドロア１５２の回収硬貨収納トレー１６６に収納される。制御部１８は、振分搬送部５６の繰出識別部１０２の識別結果から、本体部２から補助収納庫３へ繰り出した硬貨の金種別の繰出量を把握している。
【００８３】
制御部１８は、硬貨入金処理における硬貨識別部３３および繰出識別部１０２の識別結果と、繰出機構７９の計数値とから、硬貨収納庫４１ａ〜４１ｆに収納されている各硬貨収納量と、予備収納庫５１に収納されている硬貨の金種別の硬貨収納量とを修正する。
【００８４】
「紙幣入金処理」
紙幣入金処理では、紙幣処理部６が、紙幣入金口２６の紙幣を一枚ずつ分離して主搬送路１２８に送り出し、主搬送路１２８で紙幣収納庫１２０〜１２３に向けて搬送し、紙幣識別部１４０で識別させる。紙幣識別部１４０では、受け入れの可不可及び受入可能紙幣についての金種が識別され、この識別結果に基づき、受入可能紙幣を、紙幣収納庫１２０〜１２３用の振分部１３２Ｇ〜１３４Ｇのうち該当する金種用のものを駆動して、金種の紙幣収納庫１２０〜１２３のうちの該当する金種のものに収納する。つまり、千円紙幣は、振分部１３２Ｇで分岐搬送路１３２に送り込み、ローラ１３２Ｒａ，１３２Ｒｂで紙幣収納庫１２０に収納する。また、五千円紙幣は、振分部１３３Ｇで分岐搬送路１３３に送り込み、ローラ１３３Ｒａ，１３３Ｒｂの駆動で紙幣収納庫１２１に収納する。更に、一万円紙幣は、振分部１３４Ｇで分岐搬送路１３４に送り込み、ローラ１３４Ｒａ，１３４Ｒｂの駆動で紙幣収納庫１２２に収納する。更に、二千円紙幣及び紙幣収納庫１２０〜１２２に収納しきれないオーバーフロー紙幣は、ローラ１３５Ｒａ，１３５Ｒｂの駆動で紙幣収納庫１２３に収納する。
【００８５】
他方、紙幣識別部１４０で入金不可と識別された紙幣は、主搬送路１２８の逆転駆動によって上記とは逆方向に搬送し、振分部１２９Ｇで分岐搬送路１２９に送り込んでローラ対１２９Ｒの駆動で紙幣出金口２７に搬送する。これにより、受入不可紙幣が紙幣出金口２７に収容され、操作者は、この受入不可紙幣を紙幣出金口２７から取り出すことができる。
【００８６】
ここで、上述したように、制御部１８は、この紙幣入金処理における紙幣識別部１４０の識別結果と計数センサ２６Ｓ，１２９Ｓ，１３０Ｓ，１３３Ｓ，１３４Ｓ，１３５Ｓ，１４１Ｓ，１４２Ｓ，１４３Ｓの計数結果とから、紙幣収納庫１２０，１２１，１２２，１２３のそれぞれに収納されている紙幣の金種別の紙幣収納量を修正する。
【００８７】
硬貨入金口２２の硬貨が、全て、硬貨リジェクト口２４及び硬貨収納庫４１ａ〜４１ｆのいずれかに搬送され、紙幣入金口２６の紙幣が全て、紙幣収納庫１２０〜１２３及び紙幣出金口２７のいずれかに搬送されると、ＰＯＳレジ１１の制御部１８は、今回の入金処理において受け入れた硬貨及び紙幣の計数結果と、入金取消をするか、入金確定をするかの選択操作を促す表示とをレジ操作表示部１３に表示させる。なお、制御部１８は、レジ操作表示部１３と同様の内容を本体部２の本体操作表示部２３にも表示させる。
【００８８】
上記した入金取消をするか、入金確定をするかの問いに対して、操作者が、承認操作入力である入金確定の選択操作をＰＯＳレジ１１のレジ操作表示部１３に入力すると、制御部１８は、今回の入金処理で受け入れた硬貨及び紙幣の計数値を確定して記憶すると共に、その合計金額から商品代金を減算して釣銭金額を算出し、入金処理を終了する。釣銭がある場合には、引き続き、後述の出金処理を行う。なお、レジ操作表示部１３と同様の入力が、本体部２の本体操作表示部２３へも入力可能となっている。
【００８９】
［返却処理］
他方、入金処理における上記した入金取消をするか、入金確定をするかの問いに対して、操作者が、取り消し操作入力である入金取消の選択操作をＰＯＳレジ１１のレジ操作表示部１３に入力すると、制御部１８は、入金された硬貨がある場合、硬貨処理部５によって同額の硬貨を返却する硬貨返却処理を行い、入金された紙幣がある場合、紙幣処理部６によって同額の紙幣を返却する紙幣返却処理を行う。
【００９０】
「硬貨返却処理」
制御部１８は、硬貨処理部５について、出金口振分ゲート４７を開状態にして、硬貨収納庫４１ａ〜４１ｆのベルトコンベア７７を駆動し、入金された金額のうち硬貨部分を構成する返却硬貨を、硬貨収納庫４１ａ〜４１ｆの対応するものから繰出機構７９で計数しつつ、中間搬送路４６のベルトコンベア８１の中間搬送路構成部８２上に繰り出させる。すると、ベルトコンベア８１の中間搬送路構成部８２が硬貨を出金口振分ゲート４７に向けて搬送する。その途中、硬貨は、中間搬送路４６の分離ローラ８５で一枚ずつに分離された後、出金口振分ゲート４７から、出金搬送路４８のベルトコンベア８１の出金搬送路構成部８３上に落下する。すると、出金搬送路４８の出金搬送路構成部８３上で分離ローラ９１によって再び一枚ずつに分離され、搬送ベルト９３の駆動で通路９２上を移動して硬貨出金口２５に放出される。制御部１８は、この入金返却処理において繰出機構７９で計数された繰出量から、硬貨返却処理後に各硬貨収納庫４１ａ〜４１ｆに収納されている硬貨の硬貨収納量を修正する。
【００９１】
「紙幣返却処理」
制御部１８は、紙幣処理部６について、紙幣収納庫１２０〜１２２の対応するものから、入金された金額のうち紙幣部分を構成する返却紙幣を、分岐搬送路１３２〜１３４の対応するもの及び主搬送路１２８を介して紙幣出金口２７に搬送することになる。つまり、紙幣収納庫１２０から紙幣を繰り出す場合、紙幣を、蹴出ローラ１２０Ｒがローラ１３２Ｒａ，１３２Ｒｂに向けて蹴り出し、ローラ１３２Ｒｂで一枚に分離しながらローラ１３２Ｒａが分岐搬送路１３２に繰り出す。紙幣収納庫１２１から紙幣を繰り出す場合、紙幣を、蹴出ローラ１２１Ｒがローラ１３３Ｒａ，１３３Ｒｂに向けて蹴り出し、ローラ１３３Ｒｂで一枚に分離しながらローラ１３３Ｒａが分岐搬送路１３３に繰り出す。紙幣収納庫１２２から紙幣を繰り出す場合、蹴出ローラ１２２Ｒが紙幣をローラ１３４Ｒａ，１３４Ｒｂに向けて蹴り出し、ローラ１３４Ｒｂで一枚に分離しながらローラ１３４Ｒａが分岐搬送路１３４に繰り出す。このようにして紙幣収納庫１２０〜１２２の対応するものから繰り出された紙幣を主搬送路１２８で搬送し、振分部１２９Ｇで分岐搬送路１２９に導入して紙幣出金口２７に送り込む。このとき、紙幣識別部１４０、計数センサ１２９Ｓ，１３２Ｓ，１３３Ｓ，１３４Ｓ，１４１Ｓ，１４２Ｓ，１４３Ｓのいずれかで重送や斜行等の搬送不良が検出された紙幣は、主搬送路１２８で上記とは逆方向に搬送し、ローラ対１３５Ｒｂ，１３５Ｒａで紙幣収納庫１２３に収納する。制御部１８は、この入金返却処理における紙幣識別部１４０の識別結果と計数センサ１２９Ｓ，１３２Ｓ，１３３Ｓ，１３４Ｓ，１４１Ｓ，１４２Ｓ，１４３Ｓの計数結果とから、紙幣収納庫１２０，１２１，１２２のそれぞれに収納されている紙幣の金種別の紙幣収納量を修正する。
【００９２】
入金された金額の硬貨部分を構成する返却硬貨が硬貨出金口２５に放出され、入金された金額の紙幣部分を構成する返却紙幣が紙幣出金口２７に放出されると、入金返却処理を終了することになり、操作者は、返却硬貨を硬貨出金口２５から、返却紙幣を紙幣出金口２７から取り出すことになる。
【００９３】
［出金処理］
ＰＯＳレジ１１の制御部１８は、上記したように入金処理で受け入れた硬貨及び紙幣の合計金額から商品代金を減算して釣銭金額を算出し、釣銭がある場合には、釣銭金額を出金させるように処理装置本体４を制御する。制御部１８は、釣銭に硬貨が含まれる場合、その分の硬貨を硬貨処理部５によって出金する硬貨出金処理を行い、釣銭に紙幣が含まれる場合、その分の紙幣を紙幣処理部６によって出金する紙幣出金処理を行う。
【００９４】
「硬貨出金処理」
制御部１８の制御により、硬貨処理部５が、出金口振分ゲート４７を開状態にして、釣銭金額のうち硬貨部分を構成する出金硬貨を、硬貨収納庫４１ａ〜４１ｆのベルトコンベア７７を駆動し、硬貨収納庫４１ａ〜４１ｆの対応するものから繰出機構７９で計数しつつ、中間搬送路４６のベルトコンベア８１の中間搬送路構成部８２上に繰り出させる。すると、中間搬送路構成部８２が硬貨を出金口振分ゲート４７に向けて搬送する。その途中、硬貨は、中間搬送路４６の分離ローラ８５で一枚ずつに分離された後、出金口振分ゲート４７から、出金搬送路４８のベルトコンベア８１の出金搬送路構成部８３上に落下する。すると、出金搬送路４８の出金搬送路構成部８３上で分離ローラ９１によって再び一枚ずつに分離され、搬送ベルト９３の駆動で通路９２上を移動して硬貨出金口２５に放出される。制御部１８は、この硬貨出金処理において繰出機構７９で計数された繰出量から、出金処理後に各硬貨収納庫４１ａ〜４１ｆに収納されている硬貨の硬貨収納量を修正する。
【００９５】
「紙幣出金処理」
制御部１８の制御により、紙幣処理部６が、紙幣収納庫１２０，１２１の対応するものから、釣銭金額のうち紙幣部分を構成する出金紙幣を、入金返却処理と同様にして、分岐搬送路１３２，１３３の対応するもの及び主搬送路１２８を介して紙幣出金口２７に向けて搬送することになる。そして、主搬送路１２８で搬送される紙幣を、振分部１２９Ｇで分岐搬送路１２９に導入して紙幣出金口２７に送り込む。このとき、紙幣識別部１４０、計数センサ１２９Ｓ，１３２Ｓ，１３３Ｓ，１４１Ｓ，１４２Ｓのいずれかで重送や斜行等の搬送不良が検出された紙幣は、主搬送路１２８で上記とは逆方向に搬送し、ローラ対１３５Ｒｂ，１３５Ｒａで紙幣収納庫１２３に収納する。制御部１８は、この紙幣出金処理における紙幣識別部１４０の識別結果と計数センサ１２９Ｓ，１３２Ｓ，１３３Ｓ，１４１Ｓ，１４２Ｓの計数結果とから、紙幣収納庫１２０，１２１のそれぞれに収納されている紙幣の金種別の紙幣収納量を修正する。
【００９６】
釣銭金額の硬貨部分を構成する出金硬貨が硬貨出金口２５に放出され、釣銭金額の紙幣部分を構成する出金紙幣が紙幣出金口２７に放出されると、出金処理を終了することになり、操作者は、出金硬貨を硬貨出金口２５から、出金紙幣を紙幣出金口２７から、それぞれ取り出すことになる。
【００９７】
［内部硬貨補充処理］
出金処理後に、制御部１８は、金種別の硬貨収納庫４１ａ〜４１ｆのいずれかの硬貨の硬貨収納量が、所定の適正下限量を下回る場合、つまり硬貨収納量が適正下限量であるニアエンド状態よりも少ない場合に、予備収納庫５１に硬貨があれば、内部硬貨補充処理を行う。ここで、出金処理後に硬貨収納庫４１ａ〜４１ｆのいずれかの硬貨収納量が適正下限量を下回る場合に自動的に内部硬貨補充処理を行うようにしても良く、ＰＯＳレジ１１のレジ操作表示部１３に硬貨収納量がニアエンド状態よりも少ない状態にあることを表示し、レジ操作表示部１３に内部硬貨補充処理の操作が入力された場合に限り内部硬貨補充処理を行うようにしても良い。ここで、制御部１８は、金種別の硬貨収納庫４１ａ〜４１ｆの硬貨収納量にかかわらず、ＰＯＳレジ１１のレジ操作表示部１３に操作が入力されると内部硬貨補充処理を実行する。
【００９８】
内部硬貨補充処理では、制御部１８が、予備収納庫５１からベルトコンベア９６によって、硬貨を振分搬送部５６に繰り出させて、振分搬送部５６のベルトコンベア９８によって、中間搬送路４６に向けて搬送する。そして、出金口振分ゲート４７及び予備振分ゲート５２を閉状態のまま、ベルトコンベア８１の中間搬送路構成部８２及び搬送ベルト８８で硬貨を、シャッタ２２Ａが閉状態にある硬貨入金口２２に向けて搬送する。すると、硬貨は、出金口振分ゲート４７及び予備振分ゲート５２を越えて、中間搬送路４６の末端位置である通路８７の末端位置から硬貨入金口２２内に落下する。
【００９９】
更に、硬貨入金口２２の硬貨を第１入金搬送路３１のベルトコンベア６１及び分離ローラ６２で一枚ずつ分離して第２入金搬送路３２に繰り出し、第２入金搬送路３２で搬送しつつ硬貨識別部３３で金種を識別させると共に計数させる。この識別結果に基づき、硬貨を金種振分ゲート４２ａ〜４２ｆの対応するもので選別して硬貨収納庫４１ａ〜４１ｆの対応する金種のものに収納する。そして、制御部１８は、全ての硬貨収納庫４１ａ〜４１ｆの硬貨収納量が、適正下限量と適正上限量との間の所定の適正中間量以上になるか、適正下限量以上となってから所定時間が経過すると、予備収納庫５１からの硬貨の繰り出しを停止させる。
【０１００】
ここで、このように予備収納庫５１から硬貨収納庫４１ａ〜４１ｆに硬貨を補充する内部硬貨補充処理時に、硬貨収納庫４１ａ〜４１ｆの補充が不要なものには、補充される硬貨によって硬貨収納量が、適正上限量を超える場合がある。このような場合、制御部１８は、硬貨収納庫４１ａ〜４１ｆの適正上限量を超えるものから、繰出機構７９によって適正上限量を超える分の硬貨を計数しつつ中間搬送路４６に繰り出させて、入金処理後の硬貨収納量が適正上限量を超えないようにして全ての硬貨収納庫４１ａ〜４１ｆの硬貨収納量を適正上限量以下に保つ。硬貨収納庫４１ａ〜４１ｆの適正上限量を超えるものから繰り出された硬貨は、中間搬送路４６で予備収納庫５１から繰り出された硬貨と同様に搬送される。
【０１０１】
全ての硬貨収納庫４１ａ〜４１ｆの硬貨収納量が適正下限量と適正上限量との間の所定の適正中間量以上になるか、適正下限量以上となってから所定時間が経過するか、適正下限量以上とならずに所定時間が経過すると、制御部１８は、予備収納庫５１からの硬貨の繰り出しを停止させると共に、予備振分ゲート５２を開き、振分搬送部５６、中間搬送路４６、第１入金搬送路３１、第２入金搬送路３２上に硬貨がなくなると、内部硬貨補充処理を終了する。この内部硬貨補充処理では、硬貨を予備収納庫５１から中間搬送路４６を含む出金搬送部５８に繰り出し出金搬送部５８で硬貨入金口２２に搬送し、更に硬貨入金口２２から、第１入金搬送路３１及び第２入金搬送路３２を含む入金搬送部４３に繰り出し入金搬送部４３で搬送して硬貨識別部３３で識別した後、硬貨収納庫４１ａ〜４１ｆに搬送する。制御部１８は、この内部硬貨補充処理において硬貨識別部３３の識別結果と、繰出機構７９の計数値とから、硬貨収納庫４１ａ〜４１ｆに収納されている各硬貨収納量と、予備収納庫５１に収納されている硬貨の金種別の硬貨収納量とを修正する。
【０１０２】
［精査処理］
上記したように、ＰＯＳレジ１１の制御部１８は、硬貨収納庫４１ａ〜４１ｆのそれぞれの硬貨収納量と、紙幣収納庫１２０〜１２３のそれぞれの紙幣収納量とを、例えば、前回の精査処理での確定値を、その後に行われる各処理の都度、センサ類の計数値に基づく出入り量で修正することによって把握している。しかし、硬貨のジャムが生じてジャム硬貨を取り除いた場合等には、硬貨収納庫４１ａ〜４１ｆのうち、特にジャム硬貨の金種を収納しているものについては、制御部１８が把握している硬貨収納量と、実際の硬貨収納量との間にずれを生じる可能性がある。同様に、紙幣のジャムが生じてジャム紙幣を取り除いた場合や、重送紙幣が生じた場合等には、紙幣収納庫１２０〜１２３のうち、特にジャム紙幣の金種を収納しているもの、重送紙幣が生じた金種を収納しているものについては、制御部１８が把握している紙幣収納量と、実際の紙幣収納量との間にずれを生じる可能性がある。このような場合に、必要に応じて操作者が操作入力を行うことで、貨幣処理装置１が精査処理を行うことになる。精査処理には、第１の硬貨精査処理と、第２の硬貨精査処理と、紙幣精査処理とがある。
【０１０３】
「第１の硬貨精査処理」
第１の硬貨精査処理は、硬貨収納庫４１ａ〜４１ｆのそれぞれについて制御部１８が把握している硬貨収納量が、所定の判定基準量より少なく硬貨入金口２２を用いて精査処理を行うことができると判定した場合に行う処理である。言い換えれば、１円、１０円、１００円、５円、５０円、５００円硬貨のうち、精査対象金種として指定された金種について、制御部１８が把握している硬貨収納量が、所定の判定基準量未満の場合に、この金種の硬貨収納庫についての第１の硬貨精査処理を行う。この第１の硬貨精査処理は、同量の硬貨を精査処理する場合に、後述する第２の硬貨精査処理よりも短時間で精査処理できる。第１の硬貨精査処理は、予備収納庫５１を用いないため、予備収納庫５１の状態に関わらず可能な処理となっている。
【０１０４】
例えば、精査対象金種として１円硬貨が指定され、１円硬貨を収納している硬貨収納庫４１ａにおいて制御部１８が把握している硬貨収納量が、所定の判定基準量より少ない場合に、この硬貨収納庫４１ａについての第１の硬貨精査処理を行う。つまり、図９に太実線で示すように、先ず、硬貨収納庫４１ａから、これが空になるまで、シャッタ２２Ａが閉じられた状態にある硬貨入金口２２に硬貨を移動させる。すなわち、硬貨収納庫４１ａ〜４１ｆのベルトコンベア７７を駆動し、硬貨収納庫４１ａから、繰出機構７９によって中間搬送路４６のベルトコンベア８１の中間搬送路構成部８２上に硬貨を繰り出させる。そして、中間搬送路４６のベルトコンベア８１及び搬送ベルト８８で硬貨を硬貨入金口２２に向けて搬送し、ベルトコンベア６１が停止状態にある硬貨入金口２２に貯留させる。このようにして、硬貨収納庫４１ａから全ての硬貨を硬貨入金口２２に移動させる。硬貨収納庫４１ａが空になったか否かは、硬貨収納庫４１ａに設けられた図示略の残留検知センサで検知する。
【０１０５】
次に、制御部１８は、硬貨入金口２２の全ての硬貨を、図９に太破線で示すように、ベルトコンベア６１、第１入金搬送路３１の搬送ベルト６４及び第２入金搬送路３２の搬送ベルト７２で搬送しつつ、硬貨識別部３３で識別させる。この硬貨識別部３３の識別結果に基づき、硬貨を、金種振分ゲート４２ａ〜４２ｆの対応するもので選別して硬貨収納庫４１ａ〜４１ｆの対応する金種のものに収納する。
【０１０６】
このとき、ほとんどの硬貨は１円硬貨であり、１円硬貨は金種振分ゲート４２ａで落下させられて硬貨収納庫４１ａに収納される。これに対し、硬貨識別部３３が１円硬貨以外の硬貨を識別した場合、図９に太一点鎖線で示すように、この硬貨を金種振分ゲート４２ｂ〜４２ｆのうちの対応金種のもので、硬貨収納庫４１ｂ〜４１ｆのうちの対応するものに収納する。硬貨入金口２２の全ての硬貨が硬貨収納庫４１ａ〜４１ｆの対応する金種のものに収納されると、制御部１８は、硬貨識別部３３の識別結果から、硬貨識別部３３で１円硬貨と識別した硬貨の枚数を硬貨収納庫４１ａに収納した１円硬貨の硬貨収納量である収納枚数とする。また、制御部１８は、硬貨識別部３３の識別結果から、硬貨収納庫４１ｂ〜４１ｆのいずれかに収納した硬貨がある場合、硬貨収納庫４１ｂ〜４１ｆのいずれか硬貨を収納したものについては、それまで把握していた硬貨収納量を、その分だけ増加させて、硬貨収納庫４１ａに対する第１の硬貨精査処理を終了する。
【０１０７】
また、精査対象金種として１０円硬貨が指定されて第１の硬貨精査処理を行う場合、制御部１８は、１０円硬貨を収納している硬貨収納庫４１ｂの全ての硬貨を、ベルトコンベア７７及び硬貨収納庫４１ｂの繰出機構７９と、ベルトコンベア８１及び搬送ベルト８８とで硬貨入金口２２に移動させた後、硬貨入金口２２の全ての硬貨を、ベルトコンベア６１及び搬送ベルト６４，７２で搬送しつつ、硬貨識別部３３で識別して、硬貨収納庫４１ａ〜４１ｆの対応する金種のものに収納する。その際に、制御部１８は、硬貨識別部３３の識別結果から硬貨収納庫４１ｂに収納した１０円硬貨の硬貨収納量を把握すると共に、硬貨収納庫４１ａ，４１ｃ〜４１ｆのいずれかに収納した硬貨がある場合、硬貨収納庫４１ａ，４１ｃ〜４１ｆのいずれか硬貨を収納したものについては、それまで把握していた硬貨収納量を、その分だけ増加させて、硬貨収納庫４１ｂに対する第１の硬貨精査処理を終了する。
【０１０８】
同様に、精査対象金種として１００円硬貨が指定されて第１の硬貨精査処理を行う場合、制御部１８は、１００円硬貨を収納している硬貨収納庫４１ｃの全ての硬貨を、ベルトコンベア７７及び硬貨収納庫４１ｃの繰出機構７９と、ベルトコンベア８１及び搬送ベルト８８とで硬貨入金口２２に移動させた後、硬貨入金口２２の全ての硬貨を、ベルトコンベア６１及び搬送ベルト６４，７２で搬送しつつ、硬貨識別部３３で識別して、硬貨収納庫４１ａ〜４１ｆの対応する金種のものに収納する。その際に、制御部１８は、硬貨識別部３３の識別結果から硬貨収納庫４１ｃに収納した１００円硬貨の収納量を把握すると共に、硬貨収納庫４１ａ，４１ｂ，４１ｄ〜４１ｆのいずれかに収納した硬貨がある場合、硬貨収納庫４１ａ，４１ｂ，４１ｄ〜４１ｆのいずれか硬貨を収納したものについては、それまで把握していた硬貨収納量を、その分だけ増加させて、硬貨収納庫４１ｃに対する第１の硬貨精査処理を終了する。
【０１０９】
同様に、精査対象金種として５円硬貨が指定されて第１の硬貨精査処理を行う場合、制御部１８は、５円硬貨を収納している硬貨収納庫４１ｄの全ての硬貨を、ベルトコンベア７７及び硬貨収納庫４１ｄの繰出機構７９と、ベルトコンベア８１及び搬送ベルト８８とで硬貨入金口２２に移動させた後、硬貨入金口２２の全ての硬貨を、ベルトコンベア６１及び搬送ベルト６４，７２で搬送しつつ、硬貨識別部３３で識別して、硬貨収納庫４１ａ〜４１ｆの対応する金種のものに収納する。その際に、制御部１８は、硬貨識別部３３の識別結果から硬貨収納庫４１ｄに収納した５円硬貨の収納量を把握すると共に、硬貨収納庫４１ａ〜４１ｃ，４１ｅ，４１ｆのいずれかに収納した硬貨がある場合、硬貨収納庫４１ａ〜４１ｃ，４１ｅ，４１ｆのいずれか硬貨を収納したものについては、それまで把握していた硬貨収納量を、その分だけ増加させて、硬貨収納庫４１ｄに対する第１の硬貨精査処理を終了する。
【０１１０】
同様に、精査対象金種として５０円硬貨が指定されて第１の硬貨精査処理を行う場合、制御部１８は、５０円硬貨を収納している硬貨収納庫４１ｅの全ての硬貨を、ベルトコンベア７７及び硬貨収納庫４１ｅの繰出機構７９と、ベルトコンベア８１及び搬送ベルト８８とで硬貨入金口２２に移動させた後、硬貨入金口２２の全ての硬貨を、ベルトコンベア６１及び搬送ベルト６４，７２で搬送しつつ、硬貨識別部３３で識別して、硬貨収納庫４１ａ〜４１ｆの対応する金種のものに収納する。その際に、制御部１８は、硬貨識別部３３の識別結果から硬貨収納庫４１ｅに収納した５０円硬貨の収納量を把握すると共に、硬貨収納庫４１ａ〜４１ｄ，４１ｆのいずれかに収納した硬貨がある場合、硬貨収納庫４１ａ〜４１ｄ，４１ｆのいずれか硬貨を収納したものについては、それまで把握していた硬貨収納量を、その分だけ増加させて、硬貨収納庫４１ｅに対する第１の硬貨精査処理を終了する。
【０１１１】
同様に、精査対象金種として５００円硬貨が指定されて第１の硬貨精査処理を行う場合、制御部１８は、５００円硬貨を収納している硬貨収納庫４１ｆの全ての硬貨を、ベルトコンベア７７及び硬貨収納庫４１ｆの繰出機構７９と、ベルトコンベア８１及び搬送ベルト８８とで硬貨入金口２２に移動させた後、硬貨入金口２２の全ての硬貨を、ベルトコンベア６１及び搬送ベルト６４，７２で搬送しつつ、硬貨識別部３３で識別して、硬貨収納庫４１ａ〜４１ｆの対応する金種のものに収納する。その際に、制御部１８は、硬貨識別部３３の識別結果から硬貨収納庫４１ｆに収納した５００円硬貨の収納量を把握すると共に、硬貨収納庫４１ａ〜４１ｅのいずれかに収納した硬貨がある場合、硬貨収納庫４１ａ〜４１ｅのいずれか硬貨を収納したものについては、それまで把握していた硬貨収納量を、その分だけ増加させて、硬貨収納庫４１ｆに対する第１の硬貨精査処理を終了する。
【０１１２】
「第２の硬貨精査処理」
第２の硬貨精査処理は、硬貨収納庫４１ａ〜４１ｆのそれぞれについて制御部１８が把握している硬貨収納量が、所定の判定基準量以上で硬貨入金口２２を用いて精査処理を行うことができないと判定した場合に行う処理である。言い換えれば、１円、１０円、１００円、５円、５０円、５００円硬貨のうち、精査対象金種として指定された金種について、制御部１８が把握している硬貨収納量が、所定の判定基準量以上の場合に、この金種の硬貨収納庫についての第２の硬貨精査処理を行う。第２の硬貨精査処理は、上記した第１の硬貨精査処理よりも多量の硬貨を精査処理できる。
【０１１３】
第２の硬貨精査処理において、制御部１８は、まず、予備収納庫５１が空の状態にあるか否かを判定する。この判定は、例えば予備収納庫５１に設けられた図示略の残留検知センサで硬貨を検出しないか否かで行う。予備収納庫５１が空の状態になければ、予備収納庫５１を空にする空化処理を行う。すなわち、制御部１８が、硬貨を、予備収納庫５１からベルトコンベア９６によって振分搬送部５６に繰り出させ、図１０に太二点鎖線で示すように、振分搬送部５６のベルトコンベア９８及び搬送ベルト１０１で繰出口５７に落下させて、補助収納庫３の回収硬貨収納トレー１６６に収納させる。制御部１８は、予備収納庫５１及び振分搬送部５６上に硬貨がなくなるまで空化処理を行う。この空化処理後、指定金種の精査処理を行う。第２の硬貨精査処理の開始時に予備収納庫５１が空の状態にあれば、そのまま、指定金種の精査処理を行う。
【０１１４】
例えば、制御部１８は、精査対象金種として１円硬貨が指定され、１円硬貨を収納している硬貨収納庫４１ａについて把握している硬貨収納量が、所定の判定基準量以上の場合に、この硬貨収納庫４１ａについての第２の硬貨精査処理を行う。つまり、先ず、制御部１８は、その開始にあたって、予備収納庫５１の図示略の残留検知センサの検知結果から予備収納庫５１が空の状態にあるか否かを判定し、必要により空化処理を行って予備収納庫５１を空の状態にする。
【０１１５】
そして、制御部１８は、予備振分ゲート５２を開き、硬貨収納庫４１ａ〜４１ｆのベルトコンベア７７を駆動し、図１０に太実線で示すように、硬貨収納庫４１ａから、その繰出機構７９によって中間搬送路４６のベルトコンベア８１の中間搬送路構成部８２上に硬貨を繰り出させる。すると、硬貨を、ベルトコンベア８１が予備振分ゲート５２に向けて搬送し、予備振分ゲート５２の位置で落下させ、予備収納庫シュータ５３を介して予備収納庫５１に収納する。このようにして、硬貨収納庫４１ａから全ての硬貨を予備収納庫５１に移動させて硬貨収納庫４１ａを空の状態にする。
【０１１６】
次に、制御部１８は、予備振分ゲート５２を閉じ、上記した内部硬貨補充処理と同様に、予備収納庫５１からベルトコンベア９６によって、硬貨を振分搬送部５６に繰り出させ、図１０に太破線で示すように、振分搬送部５６のベルトコンベア９８によって、中間搬送路４６に繰り出させる。そして、硬貨を、中間搬送路４６のベルトコンベア８１の中間搬送路構成部８２及び搬送ベルト８８で、シャッタ２２Ａが閉じられた状態にある硬貨入金口２２に搬送し、硬貨入金口２２のベルトコンベア６１、第１入金搬送路３１の搬送ベルト６４及び第２入金搬送路３２の搬送ベルト７２で搬送する。そして、第２入金搬送路３２での搬送中に硬貨識別部３３で硬貨の金種を識別させ計数させる。
【０１１７】
この識別結果に基づき、硬貨を金種振分ゲート４２ａ〜４２ｆの対応するもので選別して硬貨収納庫４１ａ〜４１ｆの対応する金種のものに収納する。つまり、ほとんどの硬貨は１円硬貨であり、１円硬貨は金種振分ゲート４２ａで落下させられて硬貨収納庫４１ａに収納される。これに対し、硬貨識別部３３が１円硬貨以外の硬貨を識別した場合、図１０に太一点鎖線で示すように、この硬貨を金種振分ゲート４２ｂ〜４２ｆのうちの対応金種のもので、硬貨収納庫４１ｂ〜４１ｆのうちの対応するものに収納する。予備収納庫５１の全ての硬貨が硬貨収納庫４１ａ〜４１ｆの対応する金種のものに収納されると、制御部１８は、硬貨識別部３３の識別結果から、硬貨識別部３３で１円硬貨と識別した硬貨の枚数を硬貨収納庫４１ａに収納した１円硬貨の硬貨収納量である収納枚数とする。また、制御部１８は、硬貨識別部３３の識別結果から、硬貨収納庫４１ｂ〜４１ｆのいずれかに収納した硬貨がある場合、硬貨収納庫４１ｂ〜４１ｆのいずれか硬貨を収納したものについては、それまで把握していた硬貨収納量をその分だけ増加させて、硬貨収納庫４１ａに対する第２の硬貨精査処理を終了する。
【０１１８】
また、精査対象金種として１０円硬貨が指定されて第２の硬貨精査処理を行う場合、制御部１８は、１０円硬貨を収納している硬貨収納庫４１ｂについて、同様の第２の硬貨精査処理を行う。つまり、制御部１８は、必要により空化処理を行って予備収納庫５１を空の状態にした後、硬貨収納庫４１ｂの全ての硬貨を、ベルトコンベア７７及び硬貨収納庫４１ｂの繰出機構７９と、ベルトコンベア８１、搬送ベルト８８、予備振分ゲート５２及び予備収納庫シュータ５３とで予備収納庫５１に移動させた後、予備収納庫５１の全ての硬貨を、ベルトコンベア９６、ベルトコンベア９８、ベルトコンベア８１、搬送ベルト８８、硬貨入金口２２のベルトコンベア６１、第１入金搬送路３１の搬送ベルト６４及び第２入金搬送路３２の搬送ベルト７２で搬送しつつ、硬貨識別部３３で識別して、硬貨収納庫４１ａ〜４１ｆの対応する金種のものに収納する。その際に、制御部１８は、硬貨識別部３３の識別結果から硬貨収納庫４１ｂに収納した１０円硬貨の収納量を把握すると共に、硬貨収納庫４１ａ，４１ｃ〜４１ｆのいずれかに収納した硬貨がある場合、硬貨収納庫４１ａ，４１ｃ〜４１ｆのいずれか硬貨を収納したものについては、それまで把握していた硬貨収納量を、その分だけ増加させて、硬貨収納庫４１ｂに対する第２の硬貨精査処理を終了する。
【０１１９】
同様に、精査対象金種として１００円硬貨が指定されて第２の硬貨精査処理を行う場合、制御部１８は、予備収納庫５１を空にした状態で、１００円硬貨を収納している硬貨収納庫４１ｃの全ての硬貨を、ベルトコンベア７７及び硬貨収納庫４１ｃの繰出機構７９と、ベルトコンベア８１、搬送ベルト８８、予備振分ゲート５２及び予備収納庫シュータ５３とで予備収納庫５１に移動させた後、予備収納庫５１の全ての硬貨を、ベルトコンベア９６、ベルトコンベア９８、ベルトコンベア８１、搬送ベルト８８、ベルトコンベア６１、搬送ベルト６４及び搬送ベルト７２で搬送しつつ、硬貨識別部３３で識別して、硬貨収納庫４１ａ〜４１ｆの対応する金種のものに収納する。その際に、制御部１８は、硬貨識別部３３の識別結果から硬貨収納庫４１ｃに収納した１００円硬貨の収納量を把握すると共に、硬貨収納庫４１ａ，４１ｂ，４１ｄ〜４１ｆのいずれかに収納した硬貨がある場合、硬貨収納庫４１ａ，４１ｂ，４１ｄ〜４１ｆのいずれか硬貨を収納したものについては、それまで把握していた硬貨収納量を、その分だけ増加させて、硬貨収納庫４１ｃに対する第２の硬貨精査処理を終了する。
【０１２０】
同様に、精査対象金種として５円硬貨が指定されて第２の硬貨精査処理を行う場合、制御部１８は、予備収納庫５１を空にした状態で、５円硬貨を収納している硬貨収納庫４１ｄの全ての硬貨を、ベルトコンベア７７及び硬貨収納庫４１ｄの繰出機構７９と、ベルトコンベア８１、搬送ベルト８８、予備振分ゲート５２及び予備収納庫シュータ５３とで予備収納庫５１に移動させた後、予備収納庫５１の全ての硬貨を、ベルトコンベア９６、ベルトコンベア９８、ベルトコンベア８１、搬送ベルト８８、ベルトコンベア６１、搬送ベルト６４及び搬送ベルト７２で搬送しつつ、硬貨識別部３３で識別して、硬貨収納庫４１ａ〜４１ｆの対応する金種のものに収納する。その際に、制御部１８は、硬貨識別部３３の識別結果から硬貨収納庫４１ｄに収納した５円硬貨の収納量を把握すると共に、硬貨収納庫４１ａ〜４１ｃ，４１ｅ，４１ｆのいずれかに収納した硬貨がある場合、硬貨収納庫４１ａ〜４１ｃ，４１ｅ，４１ｆのいずれか硬貨を収納したものについては、それまで把握していた硬貨収納量を、その分だけ増加させて、硬貨収納庫４１ｄに対する第２の硬貨精査処理を終了する。
【０１２１】
同様に、精査対象金種として５０円硬貨が指定されて第２の硬貨精査処理を行う場合、制御部１８は、予備収納庫５１を空にした状態で、５０円硬貨を収納している硬貨収納庫４１ｅの全ての硬貨を、ベルトコンベア７７及び硬貨収納庫４１ｅの繰出機構７９と、ベルトコンベア８１、搬送ベルト８８、予備振分ゲート５２及び予備収納庫シュータ５３とで予備収納庫５１に移動させた後、予備収納庫５１の全ての硬貨を、ベルトコンベア９６、ベルトコンベア９８、ベルトコンベア８１、搬送ベルト８８、ベルトコンベア６１、搬送ベルト６４及び搬送ベルト７２で搬送しつつ、硬貨識別部３３で識別して、硬貨収納庫４１ａ〜４１ｆの対応する金種のものに収納する。その際に、制御部１８は、硬貨識別部３３の識別結果から硬貨収納庫４１ｅに収納した５０円硬貨の収納量を把握すると共に、硬貨収納庫４１ａ〜４１ｄ，４１ｆのいずれかに収納した硬貨がある場合、硬貨収納庫４１ａ〜４１ｄ，４１ｆのいずれか硬貨を収納したものについては、それまで把握していた硬貨収納量をその分だけ増加させて、硬貨収納庫４１ｅに対する第２の硬貨精査処理を終了する。
【０１２２】
同様に、精査対象金種として５００円硬貨が指定されて第２の硬貨精査処理を行う場合、制御部１８は、予備収納庫５１を空にした状態で、５００円硬貨を収納している硬貨収納庫４１ｆの全ての硬貨を、ベルトコンベア７７及び硬貨収納庫４１ｆの繰出機構７９と、ベルトコンベア８１、搬送ベルト８８、予備振分ゲート５２及び予備収納庫シュータ５３とで予備収納庫５１に移動させた後、予備収納庫５１の全ての硬貨を、ベルトコンベア９６、ベルトコンベア９８、ベルトコンベア８１、搬送ベルト８８、ベルトコンベア６１、搬送ベルト６４及び搬送ベルト７２で搬送しつつ、硬貨識別部３３で識別して、硬貨収納庫４１ａ〜４１ｆの対応する金種のものに収納する。その際に、制御部１８は、硬貨識別部３３の識別結果から硬貨収納庫４１ｆに収納した５００円硬貨の収納量を把握すると共に、硬貨収納庫４１ａ〜４１ｅのいずれかに収納した硬貨がある場合、硬貨収納庫４１ａ〜４１ｅのいずれか硬貨を収納したものについては、それまで把握していた硬貨収納量をその分だけ増加させて、硬貨収納庫４１ｆに対する第２の硬貨精査処理を終了する。
【０１２３】
以上のように、第１の硬貨精査処理と第２の硬貨精査処理とで、硬貨収納庫４１ａ〜４１ｆの精査処理を行うものを一旦空にするための硬貨の移動先を、硬貨入金口２２及び予備収納庫５１のうちの容量が少ない硬貨入金口２２と、容量が多い予備収納庫５１とで切り替える。第１の硬貨精査処理では、予備収納庫５１を通ることなく硬貨入金口２２を通るルートとなって搬送距離が短くなって処理に要する時間が短くなる一方、硬貨の移動先である硬貨入金口２２の収納容量は小さくなる。これに対し、第２の硬貨精査処理では、予備収納庫５１を通って硬貨入金口２２を通るルートとなって搬送距離が長くなって処理に要する時間が長くなる一方、硬貨の移動先である予備収納庫５１の収納容量は大きくなる。
【０１２４】
「紙幣精査処理」
例えば、精査対象金種として千円紙幣が指定されると、制御部１８は、千円紙幣を収納している紙幣収納庫１２０についての紙幣精査処理を行う。つまり、まず、紙幣カセット１１８が空の状態にあるか否かを図示略の残留検知センサの検知結果に基づいて確認する。紙幣カセット１１８が空の状態になければ、レジ操作表示部１３に紙幣カセット１１８を空にするように促すアラーム表示を表示させる。紙幣カセット１１８は通常は空の状態にある。
【０１２５】
紙幣カセット１１８が空の状態にあれば、紙幣収納庫１２０に収納されている全ての紙幣を、蹴出ローラ１２０Ｒでローラ１３２Ｒａ，１３２Ｒｂに向けて蹴り出し、ローラ１３２Ｒｂで一枚に分離しながらローラ１３２Ｒａが分岐搬送路１３２に繰り出す。これと並行して、繰り出された紙幣を、分岐搬送路１３２及び主搬送路１２８で搬送し、振分部１３０Ｇで分岐搬送路１３０に送り込んでローラ１３０Ｒａ，１３０Ｒｂの駆動で紙幣カセット１１８に収納する。その際に、計数センサ１３２Ｓ，１４１Ｓで重送や斜行等の搬送不良であることが検出された紙幣については、主搬送路１２８で上記とは逆方向に搬送し、ローラ対１３５Ｒｂ，１３５Ｒａで紙幣収納庫１２３に収納する。
【０１２６】
次に、制御部１８は、紙幣カセット１１８に収納した全ての紙幣を、蹴出ローラ１１８Ｒでローラ１３０Ｒａ，１３０Ｒｂに向けて蹴り出し、ローラ１３０Ｒｂで一枚に分離しながらローラ１３０Ｒａが分岐搬送路１３０に繰り出す。これと並行して、繰り出された紙幣を分岐搬送路１３０及び主搬送路１２８で搬送し、振分部１３２Ｇで分岐搬送路１３２に送り込んでローラ１３２Ｒａ，１３２Ｒｂの駆動で紙幣収納庫１２０に収納する。その際に、計数センサ１３０Ｓ，１４１Ｓで重送や斜行等の搬送不良であることが検出された紙幣については、主搬送路１２８でそのまま搬送し、ローラ対１３５Ｒｂ，１３５Ｒａで紙幣収納庫１２３に収納する。計数センサ１３０Ｓ，１４１Ｓで正常搬送であることが検出された紙幣が、紙幣収納庫１２０に収納されることになり、制御部１８は、計数センサ１３０Ｓ，１４１Ｓ，１３２Ｓで正常搬送であることが検出された紙幣の枚数を紙幣収納庫１２０に収納した紙幣の収納量である収納枚数として、紙幣収納庫１２０に対する紙幣精査処理を終了する。
【０１２７】
また、精査対象金種として五千円紙幣が指定されると、制御部１８は、五千円紙幣を収納している紙幣収納庫１２１に収納されている全ての紙幣を、蹴出ローラ１２１Ｒ、ローラ１３３Ｒａ，１３３Ｒｂで分岐搬送路１３３に一枚ずつ繰り出す。これと並行して、繰り出された紙幣を分岐搬送路１３３、主搬送路１２８、振分部１３０Ｇ、分岐搬送路１３０及びローラ１３０Ｒａ，１３０Ｒｂによって紙幣カセット１１８に収納する。その際に、上記と同様にして重送や斜行等の搬送不良の紙幣を紙幣収納庫１２３に収納する。次に、制御部１８は、紙幣カセット１１８に収納した全ての紙幣を、蹴出ローラ１１８Ｒ、ローラ１３０Ｒａ，１３０Ｒｂで分岐搬送路１３０に一枚ずつ繰り出す。これと並行して、繰り出された紙幣を分岐搬送路１３０、主搬送路１２８、振分部１３３Ｇ、分岐搬送路１３３、ローラ１３３Ｒａ，１３３Ｒｂによって、紙幣収納庫１２１に収納する。その際に、上記と同様にして重送や斜行等の搬送不良に紙幣を紙幣収納庫１２３に収納する。そして、制御部１８は、計数センサ１３０Ｓ，１４１Ｓ，１４２Ｓ，１３３Ｓの計数結果から、紙幣収納庫１２１に収納された紙幣の収納量を把握して、紙幣収納庫１２１に対する紙幣精査処理を終了する。
【０１２８】
また、精査対象金種として一万円紙幣が指定されると、制御部１８は、一万円紙幣を収納している紙幣収納庫１２２に収納されている全ての紙幣を、蹴出ローラ１２２Ｒ、ローラ１３４Ｒａ，１３４Ｒｂで分岐搬送路１３４に一枚ずつ繰り出す。これと並行して、繰り出された紙幣を分岐搬送路１３４、主搬送路１２８、振分部１３０Ｇ、分岐搬送路１３０及びローラ１３０Ｒａ，１３０Ｒｂによって紙幣カセット１１８に収納する。その際に、上記と同様にして重送や斜行等の搬送不良に紙幣を紙幣収納庫１２３に収納する。次に、制御部１８は、紙幣カセット１１８に収納した全ての紙幣を、蹴出ローラ１１８Ｒ、ローラ１３０Ｒａ，１３０Ｒｂで分岐搬送路１３０に一枚ずつ繰り出す。これと並行して、繰り出された紙幣を分岐搬送路１３０、主搬送路１２８、振分部１３４Ｇ、分岐搬送路１３４、ローラ１３４Ｒａ，１３４Ｒｂによって、紙幣収納庫１２２に収納する。その際に、上記と同様にして重送や斜行等の搬送不良に紙幣を紙幣収納庫１２３に収納する。そして、制御部１８は、計数センサ１３０Ｓ，１４１Ｓ，１４２Ｓ，１４３Ｓ，１３４Ｓの計数結果から、紙幣収納庫１２２に収納された紙幣の収納量を把握して、紙幣収納庫１２２に対する紙幣精査処理を終了する。
【０１２９】
以上のように本実施形態の貨幣処理装置１は、紙幣処理部６の搬送ルートの関係から、紙幣精査処理時に紙幣識別部１４０による紙幣の金種識別は行わずに正常搬送の紙幣の計数のみを行うが、紙幣識別部１４０の位置を、例えば、主搬送路１２８の分岐搬送路１３０と分岐搬送路１３２との間に変更したり、紙幣識別部１４０とは別の紙幣識別部を主搬送路１２８の分岐搬送路１３０と分岐搬送路１３２との間に設ける等して、紙幣精査処理時に紙幣識別部による紙幣の金種識別を行うようにしても良い。
【０１３０】
なお、紙幣収納庫１２３に収納した紙幣を精査処理する場合、例えば、紙幣収納庫１２３の紙幣を着脱可能な紙幣カセット１１８に全て移動させた後、管理者権限のある操作者を認証した状態で可能になる、紙幣カセット１１８の取り出しを行わせる。そして、操作者が紙幣カセット１１８から当該紙幣を抜き取って、紙幣入金口２６に再投入すると、入金処理と同様にして、紙幣を、紙幣識別部１４０で識別して、紙幣収納庫１２０〜１２３に振り分ける。この場合、紙幣識別部１４０や計数センサ２６Ｓ，１３２Ｓ，１３３Ｓ，１３４Ｓ，１３５Ｓ，１４１Ｓ，１４２Ｓ，１４３Ｓで搬送不良が検出された紙幣は、入金処理と同様にして、紙幣出金口２７に繰り出させる。このようにして、紙幣収納庫１２３の紙幣の金種別の紙幣枚数を把握する。このとき、紙幣識別部１４０の識別結果から紙幣収納庫１２０〜１２２のいずれかに収納した紙幣がある場合、紙幣収納庫１２０〜１２２のいずれか紙幣を収納したものについては、それまで把握していた紙幣収納量をその分だけ増加させる。このようにして、紙幣収納庫１２３に対する紙幣精査処理を終了する。
【０１３１】
紙幣収納庫１２０〜１２２についての紙幣精査処理において、管理者権限のある操作者を認証している場合、搬送不良紙幣を紙幣収納庫１２３ではなく紙幣出金口２７に繰り出すようにしても良い。こうすることで、搬送不良紙幣の紙幣収納庫１２３への搬送、紙幣収納庫１２３から紙幣カセット１１８への搬送、紙幣カセット１１８の貨幣処理装置１からの取り外し、紙幣カセット１１８からの紙幣の取り出し等の作業をなくすことができる。よって、操作者の手間を省くことができ、処理時間の短縮となる。
【０１３２】
本実施形態の貨幣処理装置１においては、上記した精査処理を行うに当たって、ＰＯＳレジ１１のレジ操作表示部１３のメニュー画面に対して、精査処理を行う旨の操作入力が入力されると、制御部１８は、レジ操作表示部１３に、図１１に示すような精査対象金種指定画面ｙを表示させる。制御部１８は、この精査対象金種指定画面ｙに、把握している機内在り高データ（各金種別の硬貨収納庫４１ａ〜４１ｆ及び紙幣収納庫１２０〜１２２に収納されている貨幣枚数情報）から精査処理に係る時間を見積もって表示させる。
【０１３３】
精査対象金種指定画面ｙは、精査対象金種指定画面であることを示す「精査対象金種指定」の題目を表示する表示領域ｚと、１円硬貨の選択入力を受け付ける「１円」と表示された選択入力領域ａ１と、その右横にあって１円硬貨の精査処理に要する予測時間を表示する予測時間表示領域ａ２と、５円硬貨の選択入力を受け付ける「５円」と表示された選択入力領域ｂ１と、その右横にあって５円硬貨の精査処理に要する予測時間を表示する予測時間表示領域ｂ２と、１０円硬貨の選択入力を受け付ける「１０円」と表示された選択入力領域ｃ１と、その右横にあって１０円硬貨の精査処理に要する予測時間を表示する予測時間表示領域ｃ２と、を有している。
【０１３４】
また、精査対象金種指定画面ｙは、５０円硬貨の選択入力を受け付ける「５０円」と表示された選択入力領域ｄ１と、その右横にあって５０円硬貨の精査処理に要する予測時間を表示する予測時間表示領域ｄ２と、１００円硬貨の選択入力を受け付ける「１００円」と表示された選択入力領域ｅ１と、その右横にあって１００円硬貨の精査処理に要する予測時間を表示する予測時間表示領域ｅ２と、５００円硬貨の選択入力を受け付ける「５００円」と表示された選択入力領域ｆ１と、その右横にあって５００円硬貨の精査処理に要する予測時間を表示する予測時間表示領域ｆ２と、を有している。
【０１３５】
また、精査対象金種指定画面ｙは、千円紙幣の選択入力を受け付ける「１０００円」と表示された選択入力領域ｊ１と、その右横にあって千円紙幣の精査処理に要する予測時間を表示する予測時間表示領域ｊ２と、五千円紙幣の選択入力を受け付ける「５０００円」と表示された選択入力領域ｋ１と、その右横にあって五千円紙幣の精査処理に要する予測時間を表示する予測時間表示領域ｋ２と、一万円紙幣の選択入力を受け付ける「１００００円」と表示された選択入力領域ｍ１と、その右横にあって一万円紙幣の精査処理に要する予測時間を表示する予測時間表示領域ｍ２と、を有している。
【０１３６】
また、精査対象金種指定画面ｙは、選択された複数金種（単一金種の組み合わせ）の精査処理に要する予測時間である旨を示す「複数選択時合計時間」と表示された表示領域ｎ１と、この予測時間を表示する予測時間表示領域ｎ２と、予備収納庫５１の空化処理が必要な場合に、必要な準備時間は一回分である旨を示す「※硬貨を複数金種を選択する場合、準備時間（＋Ｈ）は一回分となります。」と表示する表示領域ｎ３と、を有している。なお、表示領域ｎ３は、予備収納庫５１が空の状態にある場合や全金種の硬貨の収納量が予備収納庫５１を使用せず精査処理が可能な量である場合、すなわち予備収納庫５１の空化処理が必要ない場合は表示されないようになっている。
【０１３７】
また、精査対象金種指定画面ｙは、硬貨のみ全金種の選択入力を受け付ける「硬貨のみ全金種」と表示された選択入力領域ｐ１と、その右横にあって硬貨のみ全金種の精査処理に要する予測時間を表示する予測時間表示領域ｐ２と、紙幣のみ全金種の選択入力を受け付ける「紙幣のみ全金種」と表示された選択入力領域ｑ１と、その右横にあって紙幣のみ全金種の精査処理に要する予測時間を表示する予測時間表示領域ｑ２と、硬貨及び紙幣の両方の全金種の選択入力を受け付ける「硬貨・紙幣全金種」と表示された選択入力領域ｒ１と、その右横にあって硬貨及び紙幣の両方の全金種の精査処理に要する予測時間を表示する予測時間表示領域ｒ２と、を有している。
【０１３８】
また、精査対象金種指定画面ｙは、精査対象金種指定を促す旨の「いずれかを選択し、確定を押して下さい」と表示された表示領域ｓ１と、確定操作入力を受け付ける「確定」と表示された操作領域ｓ２と、メニュー画面に戻る操作を受け付ける「戻る」と表示された操作領域ｓ３と、を有している。
【０１３９】
選択入力領域ａ１，ｂ１，ｃ１，ｄ１，ｅ１，ｆ１，ｊ１，ｋ１，ｍ１，ｐ１，ｑ１，ｒ１は、いずれも、一度押圧操作されると選択されたオン状態となり、もう一度押圧操作されると選択が解除されたオフ状態となって、押圧操作の度にオン、オフが交互に切り替えられる。また、選択入力領域ａ１，ｂ１，ｃ１，ｄ１，ｅ１，ｆ１，ｊ１，ｋ１，ｍ１は、オン状態にあっても、選択入力領域ｐ１，ｑ１，ｒ１のいずれかが押圧操作されるとオフ状態になる。また、選択入力領域ｐ１，ｑ１，ｒ１は、いずれかが押圧操作されると他はオフ状態になり、選択入力領域ａ１，ｂ１，ｃ１，ｄ１，ｅ１，ｆ１，ｊ１，ｋ１，ｍ１のいずれかが押圧されると、オフ状態になる。
【０１４０】
制御部１８は、１円硬貨を収納している硬貨収納庫４１ａについて把握している硬貨収納量が、所定の判定基準量より少ない場合に、この硬貨収納庫４１ａの硬貨収納量と、ベルトコンベア７７及び繰出機構７９による硬貨収納庫４１ａからの硬貨の繰出速度と、硬貨収納庫４１ａから硬貨入金口２２までの中間搬送路４６を介する搬送距離と、ベルトコンベア８１及び搬送ベルト８８の搬送速度とから、硬貨収納庫４１ａから全ての硬貨を硬貨入金口２２に移動させるのに要する時間を予測する。また、硬貨収納庫４１ａの硬貨収納量と、ベルトコンベア６１の搬送距離及び搬送速度と、硬貨入金口２２から硬貨収納庫４１ａまでの第１入金搬送路３１及び第２入金搬送路３２を介する搬送距離と、搬送ベルト６４，７２の搬送速度とから、硬貨入金口２２から全ての硬貨を硬貨収納庫４１ａに移動させるのに要する時間を予測する。これらの時間を加算することで、この硬貨収納庫４１ａについての第１の硬貨精査処理に要する時間Ａａを予測する。そして、この時間Ａａ（例えば２分）を１円硬貨の選択入力を受け付ける選択入力領域ａ１の右横の予測時間表示領域ａ２に表示させる。
【０１４１】
他方、硬貨収納庫４１ａについて把握している硬貨収納量が、所定の判定基準量以上の場合に、制御部１８は、この硬貨収納庫４１ａの硬貨収納量と、ベルトコンベア７７及び繰出機構７９による硬貨収納庫４１ａからの硬貨の繰出速度と、硬貨収納庫４１ａから予備振分ゲート５２までの搬送距離と、ベルトコンベア８１及び搬送ベルト８８の搬送速度と、予備収納庫シュータ５３の搬送距離及び硬貨落下速度とから、硬貨収納庫４１ａから全ての硬貨を予備収納庫５１に移動させるのに要する時間を予測する。また、硬貨収納庫４１ａの硬貨収納量と、ベルトコンベア９６の搬送距離及び搬送速度と、ベルトコンベア９８における予備収納庫５１からベルトコンベア８１までの搬送距離及び搬送速度と、ベルトコンベア９８から硬貨入金口２２までの中間搬送路４６を介する搬送距離と、ベルトコンベア８１及び搬送ベルト８８の搬送速度と、ベルトコンベア６１の搬送距離及び搬送速度と、硬貨入金口２２から硬貨収納庫４１ａまでの第１入金搬送路３１及び第２入金搬送路３２を介する搬送距離と、搬送ベルト６４，７２の搬送速度とから、予備収納庫５１から全ての硬貨を硬貨収納庫４１ａに移動させるのに要する時間を予測する。これらの時間を加算することで、この硬貨収納庫４１ａについての第２の硬貨精査処理に要する時間Ａｂを予測する。そして、この時間Ａｂ（例えば３分）を予測時間表示領域ａ２に表示させる。
【０１４２】
ここで、制御部１８は、予備収納庫５１に硬貨があるか否かを判定し、予備収納庫５１に硬貨があれば、予備収納庫５１について把握している硬貨収納量と、ベルトコンベア９６の搬送距離及び搬送速度と、予備収納庫５１から繰出口５７までの搬送距離と、ベルトコンベア９８及び搬送ベルト１０１の搬送速度とから、予備収納庫５１に収納している硬貨を全て繰出口５７に落下させる空化処理に要する時間Ｈ（例えば１分）を予測する。そして、図１１に示すように、この時間Ｈをレジ操作表示部１３の１円硬貨の予測時間表示領域ａ２に、第２の硬貨精査処理に要する時間Ａｂに加算する形で準備時間である旨と共に「Ａｂ＋Ｈ（準備）」（例えば「３分＋１分（準備）」）と表示させる。なお、予備収納庫５１に硬貨がなければ、予測した第２の硬貨精査処理に要する時間Ａｂのみを１円硬貨の予測時間表示領域ａ２に表示させる。
【０１４３】
制御部１８は、同様にして５円硬貨を収納している硬貨収納庫４１ｄについて把握している硬貨収納量が、所定の判定基準量より少ない場合に、硬貨収納庫４１ａについての第１の硬貨精査処理の予測時に用いた情報と、この情報とは異なる、硬貨収納庫４１ｄの硬貨収納量と、硬貨収納庫４１ｄから硬貨入金口２２までの中間搬送路４６を介する搬送距離と、硬貨入金口２２から硬貨収納庫４１ｄまでの第１入金搬送路３１及び第２入金搬送路３２を介する搬送距離とを用いて、硬貨収納庫４１ｄの全ての硬貨を硬貨入金口２２に一旦移動させてから、硬貨入金口２２の全ての硬貨を硬貨収納庫４１ｄに移動させる第１の硬貨精査処理に要する時間Ｂａ（例えば３分）を予測する。そして、図１１に示すように、この時間Ｂａを５円硬貨の選択入力を受け付ける選択入力領域ｂ１の右横の予測時間表示領域ｂ２に表示させる。
【０１４４】
他方、硬貨収納庫４１ｄについて把握している硬貨収納量が、所定の判定基準量以上の場合に、制御部１８は、硬貨収納庫４１ａについての第２の硬貨精査処理の予測時に用いた情報と、この情報とは異なる、硬貨収納庫４１ｄの硬貨収納量と、硬貨収納庫４１ｄから予備振分ゲート５２までの搬送距離と、硬貨入金口２２から硬貨収納庫４１ｄまでの第１入金搬送路３１及び第２入金搬送路３２を介する搬送距離とを用いて、硬貨収納庫４１ｄの全ての硬貨を予備収納庫５１に一旦移動させてから、予備収納庫５１の全ての硬貨を硬貨収納庫４１ｄに移動させる第２の硬貨精査処理に要する時間Ｂｂ（例えば４分）を予測する。そして、この時間Ｂｂを予測時間表示領域ｂ２に表示させる。
【０１４５】
ここでも、予備収納庫５１に硬貨がある場合は、予備収納庫５１の空化処理に要する時間Ｈ（例えば１分）をレジ操作表示部１３の５円硬貨の予測時間表示領域ｂ２に、第２の硬貨精査処理に要する時間Ｂｂに加算する形で準備時間である旨と共に「Ｂｂ＋Ｈ（準備）」（例えば「４分＋１分（準備）」）と表示させる。なお、予備収納庫５１に硬貨がなければ、予測した第２の硬貨精査処理に要する時間Ｂｂのみを５円硬貨の予測時間表示領域ｂ２に表示させる。
【０１４６】
制御部１８は、同様にして１０円硬貨を収納している硬貨収納庫４１ｂについて把握している硬貨収納量が、所定の判定基準量より少ない場合に、硬貨収納庫４１ａについての第１の硬貨精査処理の予測時に用いた情報と、この情報とは異なる、硬貨収納庫４１ｂの硬貨収納量と、硬貨収納庫４１ｂから硬貨入金口２２までの中間搬送路４６を介する搬送距離と、硬貨入金口２２から硬貨収納庫４１ｂまでの第１入金搬送路３１及び第２入金搬送路３２を介する搬送距離とを用いて、硬貨収納庫４１ｂの全ての硬貨を硬貨入金口２２に一旦移動させてから、硬貨入金口２２の全ての硬貨を硬貨収納庫４１ｂに移動させる第１の硬貨精査処理に要する時間Ｃａ（例えば４分）を予測する。そして、この時間Ｃａを１０円硬貨の選択入力を受け付ける選択入力領域ｃ１の右横の予測時間表示領域ｃ２に表示させる。
【０１４７】
他方、硬貨収納庫４１ｂについて把握している硬貨収納量が、所定の判定基準量以上の場合に、制御部１８は、硬貨収納庫４１ａについての第２の硬貨精査処理の予測時に用いた情報と、この情報とは異なる、硬貨収納庫４１ｂの硬貨収納量と、硬貨収納庫４１ｂから予備振分ゲート５２までの搬送距離と、硬貨入金口２２から硬貨収納庫４１ｂまでの第１入金搬送路３１及び第２入金搬送路３２を介する搬送距離とを用いて、上記と同様に、硬貨収納庫４１ｂの全ての硬貨を予備収納庫５１に一旦移動させてから、予備収納庫５１の全ての硬貨を硬貨収納庫４１ｂに移動させる第２の硬貨精査処理に要する時間Ｃｂ（例えば５分）を予測する。そして、この時間Ｃｂを予測時間表示領域ｃ２に表示させる。
【０１４８】
ここでも、予備収納庫５１に硬貨がある場合は、図１１に示すように、予備収納庫５１の空化処理に要する時間Ｈ（例えば１分）をレジ操作表示部１３の１０円硬貨の予測時間表示領域ｃ２に、第２の硬貨精査処理に要する時間Ｃｂに加算する形で準備時間である旨と共に「Ｃｂ＋Ｈ（準備）」（例えば、「５分＋１分（準備）」）と表示させる。なお、予備収納庫５１に硬貨がなければ、予測した第２の硬貨精査処理に要する時間Ｃｂのみを１０円硬貨の予測時間表示領域ｃ２に表示させる。
【０１４９】
制御部１８は、同様にして５０円硬貨を収納している硬貨収納庫４１ｅについて把握している硬貨収納量が、所定の判定基準量より少ない場合に、硬貨収納庫４１ａについての第１の硬貨精査処理の予測時に用いた情報と、この情報とは異なる、硬貨収納庫４１ｅの硬貨収納量と、硬貨収納庫４１ｅから硬貨入金口２２までの中間搬送路４６を介する搬送距離と、硬貨入金口２２から硬貨収納庫４１ｅまでの第１入金搬送路３１及び第２入金搬送路３２を介する搬送距離とを用いて、硬貨収納庫４１ｅの全ての硬貨を硬貨入金口２２に一旦移動させてから、硬貨入金口２２の全ての硬貨を硬貨収納庫４１ｅに移動させる第１の硬貨精査処理に要する時間Ｄａ（例えば２分）を予測する。そして、この時間Ｄａを５０円硬貨の選択入力を受け付ける選択入力領域ｄ１の右横の予測時間表示領域ｄ２に表示させる。
【０１５０】
他方、硬貨収納庫４１ｅについて把握している硬貨収納量が、所定の判定基準量以上の場合に、制御部１８は、硬貨収納庫４１ａについての第２の硬貨精査処理の予測時に用いた情報と、この情報とは異なる、硬貨収納庫４１ｅの硬貨収納量と、硬貨収納庫４１ｅから予備振分ゲート５２までの搬送距離と、硬貨入金口２２から硬貨収納庫４１ｅまでの第１入金搬送路３１及び第２入金搬送路３２を介する搬送距離とを用いて、上記と同様に、硬貨収納庫４１ｅの全ての硬貨を予備収納庫５１に一旦移動させてから、予備収納庫５１の全ての硬貨を硬貨収納庫４１ｅに移動させる第２の硬貨精査処理に要する時間Ｄｂ（例えば３分）を予測する。そして、この時間Ｄｂを予測時間表示領域ｄ２に表示させる。
【０１５１】
ここでも、予備収納庫５１に硬貨がある場合は、図１１に示すように、予備収納庫５１の空化処理に要する時間Ｈ（例えば１分）をレジ操作表示部１３の５０円硬貨の予測時間表示領域ｄ２に、第２の硬貨精査処理に要する時間Ｄｂに加算する形で準備時間である旨と共に「Ｄｂ＋Ｈ（準備）」（例えば「３分＋１分（準備）」）と表示させる。なお、予備収納庫５１に硬貨がなければ、予測した第２の硬貨精査処理に要する時間Ｄｂのみを５０円硬貨の予測時間表示領域ｄ２に表示させる。
【０１５２】
制御部１８は、同様にして１００円硬貨を収納している硬貨収納庫４１ｃについて把握している硬貨収納量が、所定の判定基準量より少ない場合に、硬貨収納庫４１ａについての第１の硬貨精査処理の予測時に用いた情報と、この情報とは異なる、硬貨収納庫４１ｃの硬貨収納量と、硬貨収納庫４１ｃから硬貨入金口２２までの中間搬送路４６を介する搬送距離と、硬貨入金口２２から硬貨収納庫４１ｃまでの第１入金搬送路３１及び第２入金搬送路３２を介する搬送距離とを用いて、硬貨収納庫４１ｃの全ての硬貨を硬貨入金口２２に一旦移動させてから、硬貨入金口２２の全ての硬貨を硬貨収納庫４１ｃに移動させる第１の硬貨精査処理に要する時間Ｅａ（例えば５分）を予測する。そして、図１１に示すように、この時間Ｅａを１００円硬貨の選択入力を受け付ける選択入力領域ｅ１の右横の予測時間表示領域ｅ２に表示させる。
【０１５３】
他方、硬貨収納庫４１ｃについて把握している硬貨収納量が、所定の判定基準量以上の場合に、制御部１８は、硬貨収納庫４１ａについての第２の硬貨精査処理の予測時に用いた情報と、この情報とは異なる、硬貨収納庫４１ｃの硬貨収納量と、硬貨収納庫４１ｃから予備振分ゲート５２までの搬送距離と、硬貨入金口２２から硬貨収納庫４１ｃまでの第１入金搬送路３１及び第２入金搬送路３２を介する搬送距離とを用いて、硬貨収納庫４１ｃの全ての硬貨を予備収納庫５１に一旦移動させてから、予備収納庫５１の全ての硬貨を硬貨収納庫４１ｃに移動させる第２の硬貨精査処理に要する時間Ｅｂ（例えば６分）を予測する。そして、この時間Ｅｂを予測時間表示領域ｅ２に表示させる。
【０１５４】
ここでも、予備収納庫５１に硬貨がある場合は、予備収納庫５１の空化処理に要する時間Ｈ（例えば１分）をレジ操作表示部１３の１００円硬貨の予測時間表示領域ｅ２に、第２の硬貨精査処理に要する時間Ｅｂに加算する形で準備時間である旨と共に「Ｅｂ＋Ｈ（準備）」（例えば「６分＋１分（準備）」）と表示させる。なお、予備収納庫５１に硬貨がなければ、予測した第２の硬貨精査処理に要する時間Ｅｂのみを１００円硬貨の予測時間表示領域ｅ２に表示させる。
【０１５５】
制御部１８は、同様にして５００円硬貨を収納している硬貨収納庫４１ｆについて把握している硬貨収納量が、所定の判定基準量より少ない場合に、硬貨収納庫４１ａについての第１の硬貨精査処理の予測時に用いた情報と、この情報とは異なる、硬貨収納庫４１ｆの硬貨収納量と、硬貨収納庫４１ｆから硬貨入金口２２までの中間搬送路４６を介する搬送距離と、硬貨入金口２２から硬貨収納庫４１ｆまでの第１入金搬送路３１及び第２入金搬送路３２を介する搬送距離とを用いて、硬貨収納庫４１ｆの全ての硬貨を硬貨入金口２２に一旦移動させてから、硬貨入金口２２の全ての硬貨を硬貨収納庫４１ｆに移動させる第１の硬貨精査処理に要する時間Ｆａ（例えば３分）を予測する。そして、この時間Ｆａを５００円硬貨の選択入力を受け付ける選択入力領域ｆ１の右横の予測時間表示領域ｆ２に表示させる。
【０１５６】
他方、硬貨収納庫４１ｆについて把握している硬貨収納量が、所定の判定基準量以上の場合に、制御部１８は、硬貨収納庫４１ａについての第２の硬貨精査処理の予測時に用いた情報と、この情報とは異なる、硬貨収納庫４１ｆの硬貨収納量と、硬貨収納庫４１ｆから予備振分ゲート５２までの搬送距離と、硬貨入金口２２から硬貨収納庫４１ｆまでの第１入金搬送路３１及び第２入金搬送路３２を介する搬送距離とを用いて、硬貨収納庫４１ｆの全ての硬貨を予備収納庫５１に一旦移動させてから、予備収納庫５１の全ての硬貨を硬貨収納庫４１ｆに移動させる第２の硬貨精査処理に要する時間Ｆｂ（例えば４分）を予測する。そして、この時間Ｆｂを予測時間表示領域ｆ２に表示させる。
【０１５７】
ここでも、予備収納庫５１に硬貨がある場合は、図１１に示すように、予備収納庫５１の空化処理に要する時間Ｈ（例えば１分）をレジ操作表示部１３の５００円硬貨の予測時間表示領域に、第２の硬貨精査処理に要する時間Ｆｂに加算する形で準備時間である旨と共に「Ｆｂ＋Ｈ（準備）」（例えば「４分＋１分（準備）」）と表示させる。なお、予備収納庫５１に硬貨がなければ、予測した第２の硬貨精査処理に要する時間Ｆｂのみを５００円硬貨の予測時間表示領域ｆ２に表示させる。
【０１５８】
制御部１８は、上記のようにして得られた、硬貨の精査処理に要する時間を全金種分加算することで、全金種の硬貨の精査処理に要する時間Ｐを予測する。その際に、予備収納庫５１の空化処理に要する時間があれば、それを一回分だけ加算する。そして、この時間Ｐを硬貨のみ全金種の選択入力を受け付ける選択入力領域ｐ１の右横の予測時間表示領域ｐ２に表示させる。
【０１５９】
例えば、予備収納庫５１に硬貨がなく、５円硬貨の硬貨収納庫４１ｄ及び１００円硬貨の硬貨収納庫４１ｃについては、それぞれの硬貨収納量が判定基準量よりも小さく、１円硬貨の硬貨収納庫４１ａ、１０円硬貨の硬貨収納庫４１ｂ、５０円硬貨の硬貨収納庫４１ｅ及び５００円硬貨の硬貨収納庫４１ｆについては、それぞれの硬貨収納量が判定基準量以上の場合には、硬貨収納庫４１ａについての第２の硬貨精査処理に要する時間Ａｂと、硬貨収納庫４１ｄについての第１の硬貨精査処理に要する時間Ｂａと、硬貨収納庫４１ｂについての第２の硬貨精査処理に要する時間Ｃｂと、硬貨収納庫４１ｅについての第２の硬貨精査処理に要する時間Ｄｂと、硬貨収納庫４１ｃについての第１の硬貨精査処理に要する時間Ｅａと、硬貨収納庫４１ｆについての第２の硬貨精査処理に要する時間Ｆｂとを加算した時間Ｐ（Ｐ＝Ａｂ＋Ｂａ＋Ｃｂ＋Ｄｂ＋Ｅａ＋Ｆｂ）を予測時間表示領域ｐ２に表示させる。この場合、予備収納庫５１の空化処理が不要であるため、時間Ｐの算出時に空化処理のための時間Ｈは加算せず、精査対象金種指定画面ｙに表示領域ｎ３の表示を表示させることもない。
【０１６０】
これに対し、予備収納庫５１に硬貨がある場合、上記のように、時間Ａｂと時間Ｂａと時間Ｃｂと時間Ｄｂと時間Ｅａと時間Ｆｂとを加算した時間に、予備収納庫５１の空化処理のための時間Ｈを更に加算した時間Ｐ（Ｐ＝Ａｂ＋Ｂａ＋Ｃｂ＋Ｄｂ＋Ｅａ＋Ｆｂ＋Ｈ）を予測時間表示領域ｐ２に表示させる。このとき、一度の精査処理で複数金種の硬貨を精査することになるが、予備収納庫５１の空化処理は最初の１回で済むため、一回分の時間Ｈを加算すればよい。なお、予備収納庫５１に硬貨があっても、硬貨収納庫４１ａ〜４１ｆのそれぞれの硬貨収納量が全て判定基準量より小さければ、空化処理は不要なため、時間Ｐの算出時に空化処理のための時間Ｈは加算しない。この場合、空化処理を行わないため、精査対象金種指定画面ｙに表示領域ｎ３の表示を表示させることはない。
【０１６１】
制御部１８は、千円紙幣を収納している紙幣収納庫１２０について把握している紙幣収納量と、蹴出ローラ１２０Ｒ、ローラ１３２Ｒａ，１３２Ｒｂによる紙幣収納庫１２０からの紙幣の繰出速度と、紙幣収納庫１２０から紙幣カセット１１８までの搬送距離と、分岐搬送路１３２、主搬送路１２８及び分岐搬送路１３０の搬送速度とから、紙幣収納庫１２０の全ての紙幣を紙幣カセット１１８に移動させるのに要する時間を予測する。また、紙幣収納庫１２０の紙幣収納量と、紙幣カセット１１８から紙幣収納庫１２０までの搬送距離と、分岐搬送路１３０、主搬送路１２８及び分岐搬送路１３２の搬送速度とから、紙幣カセット１１８から全ての紙幣を紙幣収納庫１２０に移動させるのに要する時間を予測する。これらの時間を加算することで、この紙幣収納庫１２０についての紙幣精査処理に要する時間Ｊを予測する。そして、この時間Ｊを千円紙幣の選択入力を受け付ける選択入力領域ｊ１の右横の予測時間表示領域ｊ２に表示させる。
【０１６２】
制御部１８は、五千円紙幣を収納している紙幣収納庫１２１について、紙幣収納庫１２０についての紙幣精査処理の予測時に用いた情報と、この情報とは異なる、紙幣収納庫１２１の紙幣収納量と、紙幣収納庫１２１から紙幣カセット１１８までの搬送距離とから、紙幣収納庫１２１の全ての紙幣を紙幣カセット１１８に移動させた後、紙幣カセット１１８から全ての紙幣を紙幣収納庫１２１に移動させるのに要する、この紙幣収納庫１２１についての紙幣精査処理に要する時間Ｋを予測する。そして、この時間Ｋを五千円紙幣の選択入力を受け付ける選択入力領域ｋ１の右横の予測時間表示領域ｋ２に表示させる。
【０１６３】
制御部１８は、一万円紙幣を収納している紙幣収納庫１２２について、紙幣収納庫１２０についての紙幣精査処理の予測時に用いた情報と、この情報とは異なる、紙幣収納庫１２２の紙幣収納量と、紙幣収納庫１２２から紙幣カセット１１８までの搬送距離とから、紙幣収納庫１２２の全ての紙幣を紙幣カセット１１８に移動させた後、紙幣カセット１１８から全ての紙幣を紙幣収納庫１２２に移動させるのに要する、この紙幣収納庫１２２についての紙幣精査処理に要する時間Ｍを予測する。そして、この時間Ｍを一万円紙幣の選択入力を受け付ける選択入力領域ｍ１の右横の予測時間表示領域ｍ２に表示させる。
【０１６４】
制御部１８は、上記のようにして得られた、紙幣の精査処理に要する時間Ｊ、時間Ｋおよび時間Ｍを加算することで、全金種の紙幣の精査処理に要する時間Ｑ（Ｑ＝Ｊ＋Ｋ＋Ｍ）を予測する。そして、この時間Ｑを紙幣のみ全金種の選択入力を受け付ける選択入力領域ｑ１の右横の予測時間表示領域ｑ２に表示させる。
【０１６５】
制御部１８は、上記のようにして得られた、全金種の硬貨の精査処理に要する時間Ｐと全金種の紙幣の精査処理に要する時間Ｑとのうちの長い時間を、全金種の硬貨及び全金種の紙幣の精査処理に要する時間Ｒとする。これは、硬貨処理部５で行われる硬貨の精査処理と、紙幣処理部６で行われる紙幣の精査処理とは、並行処理が可能なためである。そして、この時間Ｒを硬貨および紙幣の両方の全金種の選択入力を受け付ける選択入力領域ｒ１の右横の予測時間表示領域ｒ２に表示させる。
【０１６６】
制御部１８は、選択入力領域ａ１，ｂ１，ｃ１，ｄ１，ｅ１，ｆ１，ｊ１，ｋ１，ｍ１の中から複数が選択されてオン状態になると、選択された金種について、上記のようにして得られた、硬貨の精査処理に要する時間を加算すると共に、これとは別に紙幣の精査処理に要する時間を加算する。そして、これらのうち長い方の時間Ｎを複数選択時の合計時間を表示する予測時間表示領域ｎ２に表示させる。その際に、時間Ｎの表示に加えて、その内訳となる、硬貨の精査処理に要する時間と、紙幣の精査処理に要する時間とを別々に表示させるようにしても良い。
【０１６７】
例えば、予備収納庫５１に硬貨がなく、５円硬貨の硬貨収納庫４１ｄ及び１００円硬貨の硬貨収納庫４１ｃについては、それぞれの硬貨収納量が判定基準量よりも小さく、１円硬貨の硬貨収納庫４１ａ、１０円硬貨の硬貨収納庫４１ｂ、５０円硬貨の硬貨収納庫４１ｅ及び５００円硬貨の硬貨収納庫４１ｆについては、それぞれの硬貨収納量が判定基準量以上の場合に、紙幣についての選択入力がなく、１円硬貨の選択入力領域ａ１と、５円硬貨の選択入力領域ｂ１とが選択入力されてオン状態になると、硬貨収納庫４１ａについての第２の硬貨精査処理に要する時間Ａｂと、硬貨収納庫４１ｄについての第１の硬貨精査処理に要する時間Ｂａとを加算した時間Ｎ（Ｎ＝Ａｂ＋Ｂａ）を予測時間表示領域ｎ２に表示させる。この状態から、５０円硬貨の選択入力領域ｄ１が更に選択入力されてオン状態になると、時間Ａｂと時間Ｂａと、硬貨収納庫４１ｅについての第２の硬貨精査処理に要する時間Ｄｂとを加算した時間Ｎ（Ｎ＝Ａｂ＋Ｂａ＋Ｄｂ）を予測時間表示領域ｎ２に表示させる。この状態から、１００円硬貨の選択入力領域ｅ１が更に選択入力されてオン状態になると、時間Ａｂと時間Ｂａと時間Ｄｂと、硬貨収納庫４１ｃについての第１の硬貨精査処理に要する時間Ｅａとを加算した時間Ｎ（Ｎ＝Ａｂ＋Ｂａ＋Ｄｂ＋Ｅａ）を予測時間表示領域ｎ２に表示させる。この場合、予備収納庫５１の空化処理が不要であるため、時間Ｎの算出時に空化処理のための時間Ｈは加算せず、精査対象金種指定画面ｙに表示領域ｎ３の表示を表示させることもない。すなわち、操作者が金種を一金種ずつ追加して行く毎に、合計時間Ｎもこれに応じて変化するようにして、一つの合計時間Ｎを表示させる。組み合わせ可能な全パターンの時間を表示させても良いが、こうすることで組み合わせ可能な全パターンの時間を表示させるよりも表示が煩雑とならずに判り易くなる。
【０１６８】
これに対し、予備収納庫５１に硬貨がある場合、上記と同様に選択入力領域ａ１，ｂ１，ｄ１，ｅ１が選択入力されてオン状態になると、時間Ａｂと時間Ｂａと時間Ｄｂと時間Ｅａとを加算した時間に、予備収納庫５１の空化処理のための時間Ｈを更に加算した時間Ｎ（Ｎ＝Ａｂ＋Ｂａ＋Ｄｂ＋Ｅａ＋Ｈ）を予測時間表示領域ｎ２に表示させる。この場合も、予備収納庫５１の空化処理は最初の１回で済むため、一回分の時間Ｈを加算する。なお、予備収納庫５１に硬貨があっても、選択入力領域ａ１，ｂ１，ｃ１，ｄ１，ｅ１，ｆ１のうちの選択入力されたものに対応する硬貨収納庫のそれぞれの硬貨収納量が全て判定基準量より小さければ、予備収納庫５１の空化処理が不要であるため、時間Ｎの算出時に空化処理のための時間Ｈは加算せず、精査対象金種指定画面ｙに表示領域ｎ３の表示を表示させることもない。
【０１６９】
そして、選択入力領域ａ１，ｂ１，ｃ１，ｄ１，ｅ１，ｆ１，ｊ１，ｋ１，ｍ１，ｐ１，ｑ１，ｒ１のいずれかが選択入力されてオン状態になり、この状態で、操作領域ｓ２が押圧操作されると、制御部１８は、その時点でオン状態にある選択入力領域に対応する金種について上述した精査処理を行う。このとき、全金種を含む複数金種の硬貨についての精査処理が選択された場合、硬貨については一金種ずつ順に精査処理を行うことになり、全金種を含む複数金種の紙幣についての精査処理が選択された場合、紙幣についても一金種ずつ順に精査処理を行うことになる。なお、硬貨についての精査処理と、紙幣についての精査処理とが選択された場合、これらを並行して行う。ここで、精査処理を開始した場合に、この精査処理に対して予測した精査処理時間を、時間の経過と共にカウントダウンし、精査処理終了までの予測時間を、例えば「精査終了まであと○○分です。」のように表示するようにしても良い。なお、精査対象金種指定画面ｙにおいて、「戻る」と表示された操作領域ｓ３が押圧操作された場合、精査処理を行わずに、制御部１８は、本体操作表示部２３の表示をメニュー画面に戻す。
【０１７０】
以上により、本実施形態の貨幣処理装置１は、所定の複数である９つの硬貨収納庫４１ａ〜４１ｆおよび紙幣収納庫１２０〜１２２の中からレジ操作表示部１３に指定された収納庫の貨幣のみを精査処理可能となっている。その際に、制御部１８が、９つの硬貨収納庫４１ａ〜４１ｆおよび紙幣収納庫１２０〜１２２のそれぞれの貨幣量に基づいて、これら硬貨収納庫４１ａ〜４１ｆおよび紙幣収納庫１２０〜１２２のそれぞれの精査処理に要する時間を予測する。そして、レジ操作表示部１３が、レジ操作表示部１３への精査処理対象の選択入力時に、制御部１８の予測結果に基づいて表示を行うことになる。
【０１７１】
また、精査処理対象の選択入力時に、レジ操作表示部１３は、例えば、硬貨を収納する所定の６つの硬貨収納庫４１ａ〜４１ｆの中から一つを選択指定する単数指定、言い換えれば硬貨の６金種の中から一つを選択指定する単一金種指定と、所定の６つの硬貨収納庫４１ａ〜４１ｆの中から６つより少ない複数を選択指定する複数指定、言い換えれば硬貨の６金種の中から６金種よりも少ない複数金種を選択指定する複数金種指定と、所定の６つの硬貨収納庫４１ａ〜４１ｆの全部を指定する全指定、言い換えれば硬貨の全金種である６金種の全部を指定する全金種指定と、が可能である。
【０１７２】
同様に、精査処理対象の選択入力時に、レジ操作表示部１３は、紙幣を収納する所定の３つの紙幣収納庫１２０〜１２２の中から、一つを選択指定する単数指定、言い換えれば紙幣の３金種の中から一つを選択指定する単一金種指定と、所定の３つより少ない複数を選択指定する複数指定、言い換えれば紙幣の３金種の中から３金種よりも少ない複数金種を選択指定する複数金種指定と、所定の３つの紙幣収納庫１２０〜１２２の全部を指定する全指定、言い換えれば紙幣の全金種である３金種の全部を指定する全金種指定と、が可能となっている。
【０１７３】
また、精査処理対象の選択入力時に、レジ操作表示部１３は、貨幣を収納する所定の９つの硬貨収納庫４１ａ〜４１ｆ及び紙幣収納庫１２０〜１２２の中から一つを選択指定する単数指定、言い換えれば貨幣の９金種の中から一つを選択指定する単一金種指定と、所定の９つの硬貨収納庫４１ａ〜４１ｆ及び紙幣収納庫１２０〜１２２の中から９つより少ない複数を選択指定する複数指定、言い換えれば貨幣の９金種の中から９金種よりも少ない複数金種を選択指定する複数金種指定と、所定の９つの全部を指定する全指定、言い換えれば貨幣の全金種である９金種の全部を指定する全金種指定と、が可能である。
【０１７４】
また、このような金種指定時に、レジ操作表示部１３は、制御部１８の予測結果に基づいて、所定の６つの硬貨収納庫４１ａ〜４１ｆのそれぞれの精査処理に要する時間と、所定の６つの硬貨収納庫４１ａ〜４１ｆの全部の精査処理に要する時間と、所定の３つの紙幣収納庫１２０〜１２２のそれぞれの精査処理に要する時間と、所定の３つの紙幣収納庫１２０〜１２２の全部の精査処理に要する時間と、所定の９つの硬貨収納庫４１ａ〜４１ｆ及び紙幣収納庫１２０〜１２２の全部の精査処理に要する時間と、を表示する。言い換えれば、全ての金種の硬貨を精査した場合の予測時間（合計時間）と、全ての金種の紙幣を精査した場合の予測時間（合計時間）と、全ての金種の硬貨及び全ての金種の紙幣を精査した場合の予測時間（合計時間）とを表示させると同時に、１金種毎（各金種別の硬貨収納庫４１ａ〜４１ｆおよび紙幣収納庫１２０〜１２２毎）にそれぞれの精査処理の予測時間（内訳時間）を表示させる。
【０１７５】
また、レジ操作表示部１３は、レジ操作表示部１３への精査対象の複数指定時に、制御部１８の予測結果に基づいて、硬貨収納庫４１ａ〜４１ｆ及び紙幣収納庫１２０〜１２２の中から選択指定された複数の収納庫の精査処理に要する合計時間を表示する。
【０１７６】
以上により、操作者は、レジ操作表示部１３の精査対象金種指定画面ｙに表示された予測時間を確認し、予測時間を考慮して、精査処理を行う否かを決めたり、精査処理を行う場合にいずれの金種の精査を行うかを選択したりできる。
【０１７７】
本実施形態の貨幣処理装置１によれば、貨幣処理装置１内にある硬貨収納庫４１ａ〜４１ｆおよび紙幣収納庫１２０〜１２２の中から全金種に対してではなく、精査が必要な金種のみを選択して精査処理を行うことが可能となる。このため、精査が必要でない金種に対して、無駄に精査処理を行わせることにより、時間がかかってしまうことを防ぐことができるため、作業効率と利便性が向上する。例えば、硬貨収納庫４１ａ〜４１ｆおよび紙幣収納庫１２０〜１２２の中からある金種の収納庫より出金繰出中に、搬送エラー（ジャム）が発生した場合、その金種のみ精査処理を行えば良く、不必要な金種の精査処理を避けることができ、出金動作を行っていない他の金種まで、無駄に精査処理することを防ぐことができる。具体的には、機内現金（紙幣および硬貨）の精査処理を必要な金種に限定して行うことができるため、例えば、特定金種のみを搬送して障害（例えば、ジャム発生）が起き、保守作業終了後の在り高チェック（精査処理）を行うような場合には、特定金種のみを精査対象金種に指定できる。したがって、無駄な時間を費やすことがなく、精査処理の作業効率が向上する。
【０１７８】
また、精査処理に関して、硬貨収納庫４１ａ〜４１ｆおよび紙幣収納庫１２０〜１２２に対し一度に全ての精査を行うのではなく、硬貨収納庫４１ａ〜４１ｆおよび紙幣収納庫１２０〜１２２の一つ又は複数ごとに分割して精査処理を行わせることも可能となる。このため全ての金種の精査処理が終了するまでの間、貨幣処理装置１に操作者が付ききりとなってしまうことがなく、操作者の他業務の状況に応じて、分割しての精査処理が可能となるため、作業効率が良くなる。
【０１７９】
また、レジ操作表示部１３に、所定の複数の硬貨収納庫４１ａ〜４１ｆおよび紙幣収納庫１２０〜１２２の中から精査処理する収納庫が指定される際に、制御部１８により、これら硬貨収納庫４１ａ〜４１ｆおよび紙幣収納庫１２０〜１２２のそれぞれの貨幣量に基づいて予測された、これら硬貨収納庫４１ａ〜４１ｆおよび紙幣収納庫１２０〜１２２のそれぞれの精査処理に要する時間に基づく表示をレジ操作表示部１３が表示する。操作者は、レジ操作表示部１３に表示された、硬貨収納庫４１ａ〜４１ｆおよび紙幣収納庫１２０〜１２２のそれぞれの精査処理に要する時間に基づく表示を見て、レジ操作表示部１３に硬貨収納庫４１ａ〜４１ｆおよび紙幣収納庫１２０〜１２２の中から精査処理する収納庫を指定する。すると、硬貨収納庫４１ａ〜４１ｆおよび紙幣収納庫１２０〜１２２の中からレジ操作表示部１３に指定された収納庫の貨幣のみを精査処理する。よって、占有できる時間に応じた精査処理が可能となる。したがって、精査処理による処理時間を抑制することが可能となり、業務効率の低下を抑制することが可能となる。
【０１８０】
すなわち、自己精査開始前に操作者は処理時間の目安を硬貨収納庫４１ａ〜４１ｆおよび紙幣収納庫１２０〜１２２ごとに知ることができる。これによって、自己精査を行うか否かを操作者の都合によって決めることが可能となる。よって利便性を高めることができる。また自己精査開始前に終了時間が不明であると、当該処理で予期しない長時間に亘って操作者を拘束させる虞があるが、このような状況になることを防止できる。つまり、操作者が予期せぬ長時間の間、貨幣処理装置１に係りきりとなる事態を防ぐことができ、貨幣処理装置１が精査処理を行っている間に操作者が他業務をこなすことも可能になる。したがって、利便性と作業効率の向上が見込める。
【０１８１】
また、レジ操作表示部１３が、精査処理対象の指定時に、硬貨収納庫４１ａ〜４１ｆおよび紙幣収納庫１２０〜１２２のそれぞれの精査処理に要する時間と、硬貨収納庫４１ａ〜４１ｆおよび紙幣収納庫１２０〜１２２の全部の精査処理に要する時間と、を表示するため、硬貨収納庫４１ａ〜４１ｆおよび紙幣収納庫１２０〜１２２の全部を指定する全指定での精査処理に要する時間が一目瞭然となる。よって、全指定で精査処理を行うか否かの操作者による判断のための時間を短縮できる。
【０１８２】
また、レジ操作表示部１３が、精査処理対象の複数指定時に、硬貨収納庫４１ａ〜４１ｆおよび紙幣収納庫１２０〜１２２の中から選択指定された複数の収納庫の精査処理に要する合計時間を表示するため、選択指定された複数の収納庫の精査処理に要する時間も一目瞭然となる。よって、複数指定で精査処理を行うか否かの操作者による判断のための時間を短縮できる。言い換えれば、操作者が複数金種を指定した場合でも、精査処理時間の目安を知ることができる。
【０１８３】
以上の実施形態では、硬貨の精査処理について、硬貨収納庫４１ａ〜４１ｆのうちの精査処理を行うものを空にするための硬貨の移動先を、硬貨量に応じて、第１の硬貨精査処理と第２の硬貨精査処理とで切り替えるようにしたが、紙幣の精査処理についても、紙幣収納庫１２０〜１２２の紙幣の移動先を切り替える複数の紙幣精査処理を、紙幣量に応じて切り替えるようにしても良い。例えば、第１の収納先の方が第２の収納先よりも金種別の紙幣収納庫からの搬送距離が近くて容量が小さい場合、一の金種の紙幣収納庫の紙幣収納量が判定基準量よりも少ない場合には、第１の収納先が空であることを確認後、この紙幣収納庫の全ての紙幣を第１の収納先に移動させた後、第１の収納先の全ての紙幣を紙幣識別部で識別および計数しつつ識別結果に基づいて対応する金種の紙幣収納庫に移動させる。また、一の金種の紙幣収納庫の紙幣収納量が判定基準量以上の場合には、第２の収納先が空であることを確認後、この紙幣収納庫の全ての紙幣を第２の収納先に移動させた後、第２の収納先の全ての紙幣を紙幣識別部で識別および計数しつつ識別結果に基づいて対応する金種の紙幣収納庫に移動させる。
【０１８４】
＜変形例１＞
以上の実施形態では、貨幣（硬貨または紙幣）の精査処理を行うにあたり、機内在り高データ（各金種別の硬貨収納庫４１ａ〜４１ｆ及び紙幣収納庫１２０〜１２２に収納されている貨幣枚数情報）から精査処理に係る時間をレジ操作表示部１３へ表示し、具体的には、全ての金種の貨幣を精査した場合の予測時間（合計時間）を表示させると同時に、１金種毎（各金種別収納庫毎）にそれぞれの精査処理の予測時間（内訳時間）を表示させて、操作者に表示された予測時間を確認させ、金種別に精査処理を開始するか止めるかを判断させていた。すなわち、上記手順では、予測時間を表示させて貨幣の金種選択を受け付けるという過程を経て、精査処理の実行を判断させていた。
【０１８５】
これに対し、変形例１では、逆のプロセスである、許容時間（精査に使える時間）を受け付けると、実行可能な金種または金種の組み合わせをレジ操作表示部１３へ表示し、このような組み合わせの中から選択を受け付けるという過程を経る。
【０１８６】
レジ操作表示部１３は、硬貨のみの精査処理、紙幣のみの精査処理、硬貨及び紙幣の精査処理の中から選択させるようにし、更に、精査処理に係る許容時間の指定入力を受け付ける。このとき、指定する時間については、例えば分単位で任意の時間を入力させても良いし、予め貨幣処理装置１側で用意している時間メニュー（例えば、５分、１０分、１５分、２０分）の中から選択させても良い。本仕様の目的は、限られた時間の中で、精査が必要な金種を選択することにあるため、時間メニューは短時間のものを選択肢としても良い。
【０１８７】
一例として、操作者が精査処理の対象を、硬貨及び紙幣とし、精査に係る許容時間の指定を１０分とした場合の制御について説明する。制御部１８は、上記選択の入力がなされると、硬貨、紙幣のそれぞれについて、許容時間（１０分）以内に精査処理が完了可能な金種の組み合わせを、硬貨収納庫４１ａ〜４１ｆ及び紙幣収納庫１２０〜１２２に収納されている貨幣収納量から上記のようにして割り出された各金種別の精査処理予測時間に基づいて割り出し、レジ操作表示部１３に表示させる。この場合も、硬貨の精査処理と紙幣の精査処理は並行して行えるため、硬貨と紙幣の、それぞれの実行可能な金種（１金種または複数金種の組み合わせ）は、互いに影響を与えることがない。したがって、制御部１８は、操作者に、硬貨、紙幣のそれぞれに対して、金種または金種の組み合わせを選択させることができる。精査処理を行う金種または金種の組み合わせが決定されて、レジ操作表示部１３に指定入力がなされると、制御部１８は、硬貨及び紙幣のそれぞれの精査対象金種について、上記と同様の精査処理を行う。この場合も、精査処理を開始した場合に、精査終了までの予測時間を、例えば「精査終了まであと○○分です。」のようにレジ操作表示部１３に表示するようにしても良い。
【０１８８】
変形例１は、レジ操作表示部１３による精査処理対象の指定時に、制御部１８で各金種の精査処理に要する時間を予測し、それに基づいて、精査処理対象となり得る金種の組み合わせを予測して、レジ操作表示部１３に表示させる。これにより、精査処理を行う前に精査処理に係る時間に基づいて精査対象を指定することが可能となるため、操作者が許容する時間内に精査処理が完了する公算が高い。したがって、装置の利便性と作業効率の向上が図れる。
【０１８９】
＜変形例２＞
上記変形例１では、硬貨のみの精査処理、紙幣のみの精査処理、硬貨及び紙幣の精査処理の中から選択させるようにしてから許容時間を選択・設定するようにしたが、これを逆にして、許容時間を選択・設定することで、紙幣・硬貨のそれぞれの金種の予測時間を表示しつつ、その許容時間内で精査可能な組み合わせも表示させて、この組み合わせの中からいずれかの組み合わせを選択させるようにしても良い。
【０１９０】
さらには、許容時間を選択・設定することで、その許容時間内で精査が可能な金種または金種の組み合わせ表示を行い、操作者は、その表示を見て、希望する金種が含まれていないことを確認すると、許容時間修正操作を可能とし、当該操作がなされると、許容時間の選択画面を再表示しても良い。
【０１９１】
または、許容時間の選択画面に加えて、上記した実施形態の金種別の精査予測時間表示画面への移行を選択できるようにしても良い。
【０１９２】
以上の実施形態の貨幣処理装置１は、精査対象を金種で指定して、指定された金種の収納庫を精査する場合を例にとり説明したが、精査対象の収納庫を直接指定するようにしても良い。また、貨幣処理装置１は、貨幣として紙幣及び硬貨の両方を処理するもの以外に、貨幣のうち紙幣のみを処理する貨幣処理装置（すなわち紙幣処理装置）や、貨幣のうち硬貨のみを処理する貨幣処理装置（すなわち硬貨処理装置）であっても良い。
【符号の説明】
【０１９３】
１  貨幣処理装置
１３  レジ操作表示部（指定手段，表示手段）
１８  制御部（予測手段）
【図１】
2019109679.tif 000003
【図２】
2019109679.tif 000004
【図３】
2019109679.tif 000005
【図４】
2019109679.tif 000006
【図５】
2019109679.tif 000007
【図６】
2019109679.tif 000008
【図７】
2019109679.tif 000009
【図８】
2019109679.tif 000010
【図９】
2019109679.tif 000011
【図１０】
2019109679.tif 000012
【図１１】
2019109679.tif 000013